(57)【要約】      （修正有）【課題】ローカル・ネットワーク・コネクション・モードが拡張され、フレキシビリティが改善されるローカル・ネットワーク・コネクション方法、装置及びシステムを提供する。【解決手段】制御プレーン・ノードは、ユーザー装置により送信されたアクセス・リクエストを受信したアクセス・ノードから、ユーザー装置の現在位置を示すロケーション・エリア・アイデンティティを受信する。これに基づいて、少なくとも１つのローカル・ネットワーク・アイデンティティを決定し、ユーザー装置へ送信する。ユーザー装置により選択された、第１ローカル・ネットワーク・アイデンティティを運ぶコネクション設定リクエストを受信し、ユーザー装置と第１ローカル・ネットワークとの間にコネクションを設定する。ユーザー装置は、受信したローカル・ネットワーク・アイデンティティに基づいてローカル・ネットワークを自発的に選択してもよい。【選択図】図２
2020205620.tif 000002
【特許請求の範囲】
【請求項１】
制御プレーン・ノードに適用されるローカル・ネットワーク・コネクション方法であって、当該方法は：
アクセス・ノードからロケーション・エリア・アイデンティティを受信するステップであって、前記ロケーション・エリア・アイデンティティは、ユーザー装置からアクセス・リクエストを受信した場合の前記アクセス・ノードからのものであり、且つ前記ユーザー装置が現在位置するロケーション・エリアを示すために使用される、ステップ；
前記ロケーション・エリア・アイデンティティに基づいて少なくとも１つのローカル・ネットワーク・アイデンティティを決定し、前記少なくとも１つのローカル・ネットワーク・アイデンティティを前記ユーザー装置へ送信するステップ；
前記ユーザー装置からコネクション設定リクエストを受信するステップであって、前記コネクション設定リクエストは、前記少なくとも１つのローカル・ネットワーク・アイデンティティに基づいて前記ユーザー装置により選択された第１ローカル・ネットワーク・アイデンティティを運ぶ、ステップ；及び
前記第１ローカル・ネットワーク・アイデンティティに基づいて前記ユーザー装置と第１ローカル・ネットワークとの間にコネクションを設定するステップ；
を有する方法。
【請求項２】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップであって、前記ロケーション・エリア・アイデンティティ・リストは、複数のロケーション・エリア・アイデンティティと、対応するローカル・ネットワーク・アイデンティティとを保存する、ステップ；及び
前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項３】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップ；
前記ユーザー装置からの前記アクセス・リクエストを前記アクセス・ノードを利用することにより受信するステップであって、前記アクセス・リクエストはローカル・ネットワーク・アクセス指示情報を運び、前記ローカル・ネットワーク・アクセス指示情報は、前記ユーザー装置がローカル・ネットワークへアクセスするのを許可されているか否かを示すために使用される、ステップ；及び
前記ローカル・ネットワーク・アクセス指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項４】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップ；
前記ユーザー装置のローカル・ネットワーク加入情報を取得するステップであって、前記ローカル・ネットワーク加入情報はローカル・ネットワーク・アイデンティティ情報を有し、前記ローカル・ネットワーク・アイデンティティ情報は、前記ユーザー装置がアクセスするのを許可するローカル・ネットワークのアイデンティティである、ステップ；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定するステップ；
を有する、請求項１に記載の方法。
【請求項５】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップ；
前記ユーザー装置のローカル・ネットワーク加入情報を取得するステップであって、前記ローカル・ネットワーク加入情報はネットワーク・ケーパビリティ指示情報を有し、前記ネットワーク・ケーパビリティ指示情報は、前記ユーザー装置がローカル・ネットワークへアクセスするのを許可されているか否かを示すために使用される、ステップ；及び
前記ネットワーク・ケーパビリティ指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項６】
前記ロケーション・エリア・アイデンティティに基づいて少なくとも１つのローカル・ネットワーク・アイデンティティを決定する前記ステップが：
保存されたロケーション・エリア・リストから、前記ロケーション・エリア・アイデンティティに対応するローカル・ネットワーク・アイデンティティを取得するステップ；
オペレータ・ポリシーを取得するステップであって、前記オペレータ・ポリシーはローカル・ネットワーク・アイデンティティ情報を有し、前記ローカル・ネットワーク・アイデンティティ情報は、前記ユーザー装置がアクセスするのを許可するローカル・ネットワークのアイデンティティである、ステップ；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定するステップ；
を有する、請求項１に記載の方法。
【請求項７】
前記ロケーション・エリア・アイデンティティに基づいて少なくとも１つのローカル・ネットワーク・アイデンティティを決定する前記ステップが：
保存されたロケーション・エリア・リストから、前記ロケーション・エリア・アイデンティティに対応するローカル・ネットワーク・アイデンティティを取得するステップ；
オペレータ・ポリシーを取得するステップであって、前記オペレータ・ポリシーはネットワーク・ケーパビリティ指示情報を有し、前記ネットワーク・ケーパビリティ指示情報は、前記ユーザー装置がローカル・ネットワークへアクセスするのを許可されているか否かを示すために使用される、ステップ；及び
前記ネットワーク・ケーパビリティ指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項８】
前記アクセス・リクエストはロケーション・エリア・アップデート・リクエスト又はアタッチ・リクエストを有し、前記ロケーション・エリア・アップデート・リクエストは、前記ユーザー装置が位置する前記ロケーション・エリアが変わった場合に前記ユーザー装置により送信され、前記アタッチ・リクエストは前記ユーザー装置がイネーブルにされた場合に前記ユーザー装置により送信される、請求項１ないし７のうちの何れか一項に記載の方法。
【請求項９】
前記第１ローカル・ネットワーク・アイデンティティに基づいて前記ユーザー装置と第１ローカル・ネットワークとの間にコネクションを設定する前記ステップの前に、当該方法は：
前記少なくとも１つのローカル・ネットワーク・アイデンティティが前記第１ローカル・ネットワーク・アイデンティティを有するか否かを決定するステップ；及び
前記少なくとも１つのローカル・ネットワーク・アイデンティティが前記第１ローカル・ネットワーク・アイデンティティを有する場合に、前記第１ローカル・ネットワーク・アイデンティティに基づいて前記ユーザー装置と前記第１ローカル・ネットワークとの間に前記コネクションを設定するステップ；
を更に有する、請求項１ないし８のうちの何れか一項に記載の方法。
【請求項１０】
前記ローカル・ネットワーク・アイデンティティは、ローカル・ネットワークに対応するアクセス・ポイント名、前記ローカル・ネットワークのネットワーク名、又は前記ローカル・ネットワークの企業名である、請求項１ないし９のうちの何れか一項に記載の方法。
【請求項１１】
ローカル・ネットワーク・コネクション装置であって、当該装置は：
アクセス・ノードからロケーション・エリア・アイデンティティを受信するように構成される第１受信モジュールであって、前記ロケーション・エリア・アイデンティティは、ユーザー装置からアクセス・リクエストを受信した場合の前記アクセス・ノードからのものであり、且つ前記ユーザー装置が現在位置するロケーション・エリアを示すために使用される、第１受信モジュール；
前記ロケーション・エリア・アイデンティティに基づいて少なくとも１つのローカル・ネットワーク・アイデンティティを決定し、前記少なくとも１つのローカル・ネットワーク・アイデンティティを前記ユーザー装置へ送信するように構成される決定モジュール；
前記ユーザー装置からコネクション設定リクエストを受信するように構成される第２受信モジュールであって、前記コネクション設定リクエストは、前記少なくとも１つのローカル・ネットワーク・アイデンティティに基づいて前記ユーザー装置により選択された第１ローカル・ネットワーク・アイデンティティを運ぶ、第２受信モジュール；及び
前記第１ローカル・ネットワーク・アイデンティティに基づいて前記ユーザー装置と第１ローカル・ネットワークとの間にコネクションを設定するように構成されるコネクション設定モジュール；
を有する装置。
【請求項１２】
前記決定モジュールは：
保存されたロケーション・エリア・アイデンティティ・リストから、前記ロケーション・エリア・アイデンティティに対応するローカル・ネットワーク・アイデンティティを取得することであって、前記ロケーション・エリア・アイデンティティ・リストは、複数のロケーション・エリア・アイデンティティと、対応するローカル・ネットワーク・アイデンティティとを保存する、こと；及び
前記ロケーション・エリア・アイデンティティに対応する前記ローカル・ネットワーク・アイデンティティを、前記少なくとも１つのローカル・ネットワーク・アイデンティティとして決定すること；
を行うように構成される、請求項１１に記載の装置。
【請求項１３】
前記決定モジュールは：
保存されたロケーション・エリア・アイデンティティ・リストから、前記ロケーション・エリア・アイデンティティに対応するローカル・ネットワーク・アイデンティティを取得すること；
前記ユーザー装置からの前記アクセス・リクエストを前記アクセス・ノードを利用することにより受信することであって、前記アクセス・リクエストはローカル・ネットワーク・アクセス指示情報を運び、前記ローカル・ネットワーク・アクセス指示情報は、前記ユーザー装置がローカル・ネットワークへアクセスするのを許可されているか否かを示すために使用される、こと；及び
前記ローカル・ネットワーク・アクセス指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定すること；
を行うように構成される、請求項１１に記載の装置。
【請求項１４】
前記決定モジュールは：
保存されたロケーション・エリア・アイデンティティ・リストから、前記ロケーション・エリア・アイデンティティに対応するローカル・ネットワーク・アイデンティティを取得すること；
前記ユーザー装置のローカル・ネットワーク加入情報を取得することであって、前記ローカル・ネットワーク加入情報はローカル・ネットワーク・アイデンティティ情報を有し、前記ローカル・ネットワーク・アイデンティティ情報は、前記ユーザー装置がアクセスするのを許可するローカル・ネットワークのアイデンティティである、こと；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定すること；
を行うように構成される、請求項１１に記載の装置。
【請求項１５】
前記決定モジュールは：
保存されたロケーション・エリア・アイデンティティ・リストから、前記ロケーション・エリア・アイデンティティに対応するローカル・ネットワーク・アイデンティティを取得すること；
前記ユーザー装置のローカル・ネットワーク加入情報を取得することであって、前記ローカル・ネットワーク加入情報はネットワーク・ケーパビリティ指示情報を有し、前記ネットワーク・ケーパビリティ指示情報は、前記ユーザー装置がローカル・ネットワークへアクセスするのを許可されているか否かを示すために使用される、こと；及び
前記ネットワーク・ケーパビリティ指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定すること；
を行うように構成される、請求項１１に記載の装置。
【請求項１６】
前記アクセス・リクエストはロケーション・エリア・アップデート・リクエスト又はアタッチ・リクエストを有し、前記ロケーション・エリア・アップデート・リクエストは、前記ユーザー装置が位置する前記ロケーション・エリアが変わった場合に前記ユーザー装置により送信され、前記アタッチ・リクエストは前記ユーザー装置がイネーブルにされた場合に前記ユーザー装置により送信される、請求項１１ないし１５のうちの何れか一項に記載の装置。
【請求項１７】
ローカル・ネットワーク・コネクション・システムであって、当該システムは、アクセス・ノードと、制御プレーン・ノードとを有し、
前記アクセス・ノードは：ユーザー装置からの前記アクセス・リクエストを受信した場合に、ロケーション・エリア・アイデンティティを前記制御プレーン・ノードへ送信するように構成され、前記ロケーション・エリア・アイデンティティは、前記ユーザー装置が現在位置するロケーション・エリアを示すために使用され；
前記制御プレーン・ノードは：前記ロケーション・エリア・アイデンティティを受信し、前記ロケーション・エリア・アイデンティティに基づいて少なくとも１つのローカル・ネットワーク・アイデンティティを決定し、前記少なくとも１つのローカル・ネットワーク・アイデンティティを前記ユーザー装置へ送信するように構成され；及び
前記制御プレーン・ノードは、前記ユーザー装置からコネクション設定リクエストを受信するように構成され、前記コネクション設定リクエストは前記少なくとも１つのローカル・ネットワーク・アイデンティティに基づいて前記ユーザー装置により選択された第１ローカル・ネットワーク・アイデンティティを運び、前記制御プレーン・ノードは、前記第１ローカル・ネットワーク・アイデンティティに基づいて前記ユーザー装置と第１ローカル・ネットワークとの間にコネクションを設定するように構成される、システム。
【請求項１８】
請求項１ないし９のうちの何れか一項に記載の方法を実行するために保存されたコンピュータ・プログラムによりエンコードされた非一時的なコンピュータ読み取り可能なストレージ媒体。
【請求項１９】
請求項１ないし９のうちの何れか一項に記載の方法を装置のコンピュータに実行させるコンピュータ・プログラム。
【発明の詳細な説明】
【背景技術】
【０００１】
本願は「ローカル・ネットワーク・コネクション方法、装置、及びシステム」というタイトルで2016年10月31日付で中国特許庁に出願された中国特許出願第201610978137.3号による優先権を主張しており、その内容全体は本願のリファレンスに組み込まれる。
【０００２】
本発明の実施形態は、通信の技術分野に関連し、特にローカル・ネットワーク・コネクション方法、装置、及びシステムに関連する。
【０００３】
ローカル・ネットワークは特定のエリアをカバーすることが可能なネットワークであり、例えば、企業キャンパス、コーヒー・ショップ、ホテル、学校、又は空港のような場所をカバーするネットワークである。あるエリアでローカル・ネットワークに接続した後、ユーザー装置はローカル・ネットワークにアクセスしてネットワーク・サービスを実行することが可能である。更に、ローカル・ネットワークの発展により、ワイヤレス・フィデリティの開発及び維持コストを減らすために、ワイヤレス・フィデリティ(Wireless  Fidelity，WiFi)を利用してローカル・ネットワークに通常通り接続するのではなく、モバイル通信オペレータにより提供されるモバイル通信ネットワークを利用することにより、ユーザー装置は代替的にローカル・ネットワークに接続してもよい。
【０００４】
図1Aはモバイル通信ネットワークの論理アーキテクチャの図である。図1Aに示されるように、論理アーキテクチャは、ユーザー装置11、アクセス・ノード12、制御プレーン・ノード13、及びユーザー・プレーン・ノード14を含む。ユーザー装置11は、ローカル・アクセス・ノード12を利用することによりモバイル通信ネットワークにアクセスしてよい。制御プレーン・ノード13は、ユーザー装置11のコネクション管理、セキュリティ認証、モビリティ管理、及びロケーション管理に対する責任を負う。ユーザー・プレーン・ノード14はユーザー装置11のサービス・データを転送することに対する責任を負う。現在提供されているローカル・ネットワーク・コネクション方法において、モバイル通信ネットワーク・オペレータは、各々のローカル・ネットワークによりカバーされるエリアに対して固有のロケーション・エリア・アイデンティティを予定する。制御プレーン・ノード13は、対応するローカル・ネットワークによりカバーされるロケーション・エリアに対してモバイル・オペレータにより配備される専用の制御プレーン・ノードであり、対応するローカル・ネットワークに対するコネクションを設定するように構成される。特定のロケーション・エリアに入ると、ユーザー装置11は、そのロケーション・エリア内のアクセス・ノード12へアクセス・リクエストを送信してよい。アクセス・リクエストを受信すると、アクセス・ノード12は、ロケーション・エリア内の専用の制御プレーン・ノード13へ、アクセス・リクエストを転送する。アクセス・リクエストを受信すると、専用の制御プレーン・ノード13は、ロケーション・エリアにおいてユーザー装置11とローカル・ネットワークとの間にコネクションを自動的に設定する。
【０００５】
本発明を実施する際に、発明者は関連技術が少なくとも以下の問題を有することを発見している。
【０００６】
上記の方法では、ユーザー装置がロケーション・エリアに入った場合に、専用の制御プレーン・ノードは、ユーザー装置とローカル・ネットワークとの間にコネクションを自動的に設定しており、具体的に言えば、制御プレーン・ノードはデフォルトでコネクションを設定する。しかしながら、実際のアプリケーションでは、デフォルトで接続されるローカル・ネットワークは、ユーザーがアクセスを希望するローカル・ネットワーク、あるいは相対的に高い品質のローカル・ネットワークではないかもしれない。従って、上記の方法は比較的低いフレキシビリティを有し、固有の制限を有する。更に、上記の方法では、固有のロケーション・エリア・アイデンティティが各々のローカル・ネットワークに対して予定されることを要し、専用の制御プレーン・ノードが配備されることを要する。従って、配備コストは非常に高い。
【発明の概要】
【０００７】
従来技術の問題を解決するために、本発明の実施形態は、ローカル・ネットワーク・コネクション方法、装置、及びシステムを提供する。技術的解決手段は次のとおりである：
【０００８】
第１側面によれば、ローカル・ネットワーク・コネクション方法が提供され、制御プレーン・ノードに適用され、本方法は：
アクセス・ノードにより送信されたロケーション・エリア・アイデンティティを受信するステップであって、ロケーション・エリア・アイデンティティは、ユーザー装置により送信されたアクセス・リクエストを受信した場合にアクセス・ノードにより送信され、且つユーザー装置が現在位置するロケーション・エリアを示すために使用される、ステップ；
ロケーション・エリア・アイデンティティに基づいて少なくとも１つのローカル・ネットワーク・アイデンティティを決定し、少なくとも１つのローカル・ネットワーク・アイデンティティをユーザー装置へ送信するステップ；
ユーザー装置により送信されたコネクション設定リクエストを受信するステップであって、コネクション設定リクエストは、少なくとも１つのローカル・ネットワーク・アイデンティティに基づいてユーザー装置により選択された第１ローカル・ネットワーク・アイデンティティを運ぶ、ステップ；及び
第１ローカル・ネットワーク・アイデンティティに基づいてユーザー装置と第１ローカル・ネットワークとの間にコネクションを設定するステップを含む。
【０００９】
本発明のこの実施形態において、ユーザー装置は、ユーザー装置が現在位置するロケーション・エリア内のアクセス・ノードへアクセス・リクエストを送信する場合、アクセス・ノードは、アクセス・リクエストに基づいて、ユーザー装置が現在位置しているロケーション・エリアを示すロケーション・エリア・アイデンティティを、制御プレーン・ノードへ送信してよい。制御プレーン・ノードは、ロケーション・エリア・アイデンティティに基づいて少なくとも１つのローカル・ネットワーク・アイデンティティを決定し、少なくとも１つのローカル・ネットワーク・アイデンティティを、ユーザー装置による選択のためにユーザー装置へ送信してよい。その後、ユーザー装置により送信されたコネクション設定リクエストが受信され、及びコネクション設定リクエストが、少なくとも１つのローカル・ネットワーク・アイデンティティに基づいてユーザー装置により選択された第１ローカル・ネットワーク・アイデンティティを運んでいる場合、ユーザー装置と第１ローカル・ネットワークとの間にコネクションが設定されることが可能である。
【００１０】
ユーザー装置がロケーション・エリアに入ると、制御プレーン・ノードは、ロケーション・エリアにおける少なくとも１つのローカル・ネットワーク・アイデンティティをユーザー装置へ送信してよい。従って、ユーザーは、アクセスされることを要するローカル・ネットワークを、ユーザー装置を利用することにより自発的に選択してもよく、具体的に言えば、ユーザーがアクセスを希望するローカル・ネットワーク、又は相対的に高い品質を有するローカル・ネットワークを自発的に選択してもよく、それにより、ローカル・ネットワーク・コネクションの効果及びフレキシビリティが改善され、ローカル・ネットワーク・コネクション・モードが拡張される。更に、モバイル通信ネットワーク・オペレータは、各々のローカル・ネットワークに対して固有のロケーション・エリア・アイデンティティを予定すること、あるいは専用の制御プレーン・ノードを配備することを必要とせず、複数のローカル・ネットワークが同じロケーション・エリアにあるように予定されてもよく、制御プレーン・ノードは複数の隣接するロケーション・エリアに同時に応対してもよく、それにより配備コストが削減される。
【００１１】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップであって、ロケーション・エリア・リストは、複数のロケーション・エリア・アイデンティティと、対応するローカル・ネットワーク・アイデンティティとを保存する、ステップ；及び
ロケーション・エリア・アイデンティティに対応するローカル・ネットワーク・アイデンティティを、少なくとも１つのローカル・ネットワーク・アイデンティティとして決定するステップを含む。
【００１２】
本発明のこの実施形態において、複数のロケーション・エリア・アイデンティティと、対応するローカル・ネットワーク・アイデンティティとは、事前にロケーション・エリア・リストに保存され、以後のプロセスにおいて、ユーザー装置の現在のロケーション・エリア・アイデンティティに対応するローカル・ネットワーク・アイデンティティを求めてロケーション・エリア・リストが直接的に探索され、それにより、ローカル・ネットワークを決定する的確性及び効率が改善される。
【００１３】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップ；
ユーザー装置により送信されたアクセス・リクエストをアクセス・ノードを利用することにより受信するステップであって、アクセス・リクエストはローカル・ネットワーク・アクセス指示情報を運び、ローカル・ネットワーク・アクセス指示情報は、ユーザー装置がローカル・ネットワークへアクセスするのを許可されているか否かを示すために使用される、ステップ；及び
ローカル・ネットワーク・アクセス指示情報が、ユーザー装置はローカル・ネットワークへアクセスするのを許可されていることを示す場合に、ロケーション・エリア・アイデンティティに対応するローカル・ネットワーク・アイデンティティを、少なくとも１つのローカル・ネットワーク・アイデンティティとして決定する、ステップを含む。
【００１４】
本発明のこの実施形態において、制御プレーン・ノードは、ユーザー装置のローカル・ネットワーク・アクセス指示情報とロケーション・エリア・リストとの双方に基づいて、ユーザー装置がアクセスするのを許可する少なくとも１つのローカル・ネットワークを更に決定してよい。ローカル・ネットワーク・アクセス指示情報は、ユーザー装置がローカル・ネットワークへアクセスするのを許可されているか否かを示すために使用され、具体的に言えば、使用されるユーザー装置がローカル・ネットワークにアクセスすることをユーザーが許可しているか否かを示すために使用される。従って、ユーザー装置はユーザーの意向を参照してローカル・ネットワークに接続されてもよく、それによりローカル・ネットワーク・コネクションのフレキシビリティ及びコネクションの効果が更に改善される。
【００１５】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップ；
ユーザー装置のローカル・ネットワーク加入情報を取得するステップであって、ローカル・ネットワーク加入情報はローカル・ネットワーク・アイデンティティ情報を有し、ローカル・ネットワーク・アイデンティティ情報は、ユーザー装置がアクセスするのを許可するローカル・ネットワークのアイデンティティである、ステップ；及び
ロケーション・エリア・アイデンティティに対応するローカル・ネットワーク・アイデンティティとローカル・ネットワーク・アイデンティティ情報とに基づいて少なくとも１つのローカル・ネットワーク・アイデンティティを決定するステップを含む。
【００１６】
本発明のこの実施形態において、制御プレーン・ノードは、ユーザー装置のローカル・ネットワーク加入情報を更に取得してもよく、ローカル・ネットワーク加入情報はローカル・ネットワーク・アイデンティティ情報を含む。ローカル・ネットワーク・アイデンティティ情報は、ユーザー装置がアクセスするのを許可するローカル・ネットワーク、具体的に言えば事前にユーザー装置が加入したローカル・ネットワークのアイデンティティを示すために使用される。従って、ユーザー装置がアクセスするのを許可する少なくとも１つのローカル・ネットワークは、ロケーション・エリア・アイデンティティに対応するローカル・ネットワーク・アイデンティティとユーザー装置が加入したローカル・ネットワークのアイデンティティとに基づいて総合的に決定されてもよく、それによりローカル・ネットワーク・コネクション管理方法が拡張され、コネクションの的確性及びコネクションの効果が更に改善される。
【００１７】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップ；
ユーザー装置のローカル・ネットワーク加入情報を取得するステップであって、ローカル・ネットワーク加入情報はネットワーク・ケーパビリティ指示情報を有し、ネットワーク・ケーパビリティ指示情報は、ユーザー装置がローカル・ネットワークへアクセスするのを許可されているか否かを示すために使用される、ステップ；及び
ネットワーク・ケーパビリティ指示情報が、ユーザー装置はローカル・ネットワークへアクセスするのを許可されていることを示す場合に、ロケーション・エリア・アイデンティティに対応するローカル・ネットワーク・アイデンティティを、少なくとも１つのローカル・ネットワーク・アイデンティティとして決定するステップを含む。
【００１８】
本発明のこの実施形態において、ユーザー装置のローカル・ネットワーク加入情報はネットワーク・ケーパビリティ指示情報を更に含んでもよく、ネットワーク・ケーパビリティ指示情報は、ユーザー装置がローカル・ネットワークへアクセスするのを許可されているか否かを示すために、具体的に言えば、ユーザー装置は、ローカル・ネットワークにアクセスする機能を、事前の加入によりイネーブルにしているか否かを示すために使用される。従って、制御プレーン・ノードは、ローカル・ネットワーク加入情報におけるネットワーク・ケーパビリティ指示情報を参照してローカル・ネットワークへユーザー装置を更に接続してもよく、それによりローカル・ネットワーク・コネクション管理方法が拡張され、コネクションの的確性及びコネクションの効果が更に改善される。
【００１９】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップ；
オペレータ・ポリシーを取得するステップであって、オペレータ・ポリシーはローカル・ネットワーク・アイデンティティ情報を含み、ローカル・ネットワーク・アイデンティティ情報は、ユーザー装置がアクセスするのを許可するローカル・ネットワークのアイデンティティである、ステップ；及び
ロケーション・エリア・アイデンティティに対応するローカル・ネットワーク・アイデンティティとローカル・ネットワーク・アイデンティティ情報とに基づいて少なくとも１つのローカル・ネットワーク・アイデンティティを決定するステップを含む。
【００２０】
別の実施形態において、ロケーション・エリア・アイデンティティに基づいて少なくとも１つのローカル・ネットワーク・アイデンティティを決定するステップは：
保存されたロケーション・エリア・リストから、ロケーション・エリア・アイデンティティに対応するローカル・ネットワーク・アイデンティティを取得するステップ；
オペレータ・ポリシーを取得するステップであって、オペレータ・ポリシーはネットワーク・ケーパビリティ指示情報を有し、ネットワーク・ケーパビリティ指示情報は、ユーザー装置がローカル・ネットワークへアクセスするのを許可されているか否かを示すために使用される、ステップ；及び
ネットワーク・ケーパビリティ指示情報が、ユーザー装置はローカル・ネットワークへアクセスするのを許可されていることを示す場合に、ロケーション・エリア・アイデンティティに対応するローカル・ネットワーク・アイデンティティを、少なくとも１つのローカル・ネットワーク・アイデンティティとして決定するステップを含む。
【００２１】
本発明のこの実施形態において、ユーザー装置によりアクセスされるローカル・ネットワークは、制御プレーン・ノードが帰属するモバイル通信ネットワーク・オペレータのオペレータ・ポリシーを利用することにより更に設定及び管理されてもよく、オペレータ・ポリシーは、ローカル・ネットワーク・アイデンティティ情報又はネットワーク・ケーパビリティ指示情報を更に含んでもよく、それによりローカル・ネットワーク・コネクション管理方法が拡張され、コネクションの的確性及びコネクションの効果が更に改善される。
【００２２】
別の実施形態において、アクセス・リクエストはロケーション・エリア・アップデート・リクエスト又はアタッチ・リクエストを含み、ロケーション・エリア・アップデート・リクエストは、ユーザー装置が位置するロケーション・エリアが変わった場合にユーザー装置により送信され、アタッチ・リクエストは装置がイネーブルにされた場合にユーザー装置により送信される。
【００２３】
本発明のこの実施形態において、ユーザー装置により送信されたロケーション・エリア・アップデート・リクエストを受信すると、アクセス・ノードはロケーション・エリア・アイデンティティを制御プレーン・ノードへ送信してもよく、それにより、ユーザー装置は、移動後にユーザー装置が位置するロケーション・エリア内のロケーション・ネットワークにアクセスする。代替的に、ユーザー装置のアタッチ・リクエストを受信すると、アクセス・ノードはロケーション・エリア・アイデンティティを制御プレーン・ノードへ送信してもよく、それにより、ユーザー装置は、装置がイネーブルにされた場合にユーザー装置が位置するロケーション・エリアのローカル・ネットワークにアクセスする。ユーザー装置のロケーション・エリア・アップデート・リクエスト又はアタッチ・リクエストが受信されると、ロケーション・エリア・アイデンティティが送信され、それにより、ユーザー装置はモバイル通信ネットワークを利用することによりローカル・ネットワークにアクセスするように動作することが可能である。
【００２４】
別の実施形態において、第１ローカル・ネットワーク・アイデンティティに基づいてユーザー装置と第１ローカル・ネットワークとの間にコネクションを設定するステップの前に、当該方法は：
少なくとも１つのローカル・ネットワーク・アイデンティティが第１ローカル・ネットワーク・アイデンティティを有するか否かを決定するステップ；及び
少なくとも１つのローカル・ネットワーク・アイデンティティが第１ローカル・ネットワーク・アイデンティティを含む場合に、第１ローカル・ネットワーク・アイデンティティに基づいてユーザー装置と第１ローカル・ネットワークとの間にコネクションを設定するステップを更に含む。
【００２５】
本発明のこの実施形態において、ユーザー装置により送信された第１ネットワーク・アイデンティティを受信した後、制御プレーン・ノードは第１ネットワーク・アイデンティティを更に検査してもよく、具体的に言えば、第１ネットワーク・アイデンティティが、制御プレーン・ノードによりユーザー装置へ送信された少なくとも１つのローカル・ネットワーク・アイデンティティに含まれているか否かを確認してもよく、第１ネットワーク・アイデンティティが少なくとも１つのローカル・ネットワーク・アイデンティティに含まれる場合にコネクションが設定され、それにより的確性が更に改善される。
【００２６】
別の実施形態において、ローカル・ネットワーク・アイデンティティは、ローカル・ネットワークに対応するアクセス・ポイント名、ローカル・ネットワークのネットワーク名、又はローカル・ネットワークの企業名である。
【００２７】
第２側面によれば、ローカル・ネットワーク・コネクション装置が提供される。ローカル・ネットワーク・コネクション装置は第１側面におけるローカル・ネットワーク・コネクション方法を実現する機能を有する。ローカル・ネットワーク・コネクション装置は少なくとも１つのモジュールを含み、少なくとも１つのモジュールは第１側面において提供されるローカル・ネットワーク・コネクション方法を実現するように構成される。
【００２８】
第３側面によれば、ローカル・ネットワーク・コネクション装置が提供される。ローカル・ネットワーク・コネクション装置の構造はプロセッサとメモリとを含む。メモリは：ローカル・ネットワーク・コネクション方法を実行する際にローカル・ネットワーク・コネクション装置をサポートするプログラムを保存し、ローカル・ネットワーク・コネクション方法を実現するために使用される関連データを保存するように構成される。データは、ロケーション・エリア・リスト、ローカル・ネットワーク加入情報、オペレータ・ポリシー等であってもよい。プロセッサは、メモリに保存されたプログラムを実行するように構成される。ローカル・ネットワーク・コネクション装置は通信バスを更に含んでもよく、通信バスはプロセッサとメモリとの間にコネクションを設定するように構成される。
【００２９】
第４側面によれば、本発明の実施形態はコンピュータ・ストレージ媒体を提供し、コンピュータ・ストレージ媒体は：ローカル・ネットワーク・コネクション装置により使用されるコンピュータ・ソフトウェア命令を保存する、あるいは第２側面及び第３側面におけるローカル・ネットワーク・コネクション装置を動作させるために使用される関連するプログラムを保存するように構成される。
【００３０】
第５側面によれば、本発明の実施形態はローカル・ネットワーク・コネクション・システムを提供し、システムは、ユーザー装置と、アクセス・ノードと、制御プレーン・ノードとを含む。制御プレーン・ノードは、第１側面で提供されるローカル・ネットワーク・コネクション方法を実現するように構成される。
【００３１】
本発明の上記の実施形態の第２側面ないし第４側面において得られる技術的効果は、第１側面における対応する技術的手段を利用することにより得られる技術的効果と同様であり、詳細はここでは説明されない。
【００３２】
本発明の実施形態で提供される技術的解決手段は、以下の有利な効果をもたらす。
【００３３】
本発明の実施形態において、ユーザー装置がロケーション・エリアに入り、アクセス・リクエストをアクセス・ノードへ送信すると、アクセス・ノードは、ユーザー装置が現在位置するロケーション・エリアを示すロケーション・エリア・アイデンティティを、制御プレーン・ノードへ送信してよい。制御プレーン・ノードは、ロケーション・エリア・アイデンティティに基づいて少なくとも１つのローカル・ネットワーク・アイデンティティを決定し、少なくとも１つのローカル・ネットワーク・アイデンティティを、ユーザー装置による選択他のためにユーザー装置へ送信してもよい。従って、ユーザーは、アクセスされることを要するローカル・ネットワークを、ユーザー装置を利用することにより自発的に選択してもよく、具体的に言えば、ユーザーがアクセスを希望するローカル・ネットワーク、又は相対的に高い品質を有するローカル・ネットワークを自発的に選択してもよく、それにより、ローカル・ネットワーク・コネクションの効果及びフレキシビリティが改善され、ローカル・ネットワーク・コネクション・モードが拡張される。更に、モバイル通信ネットワーク・オペレータは、各々のローカル・ネットワークに対して固有のロケーション・エリア・アイデンティティを予定すること、あるいは専用の制御プレーン・ノードを配備することを必要とせず、複数のローカル・ネットワークが同じロケーション・エリアにあるように予定されてもよく、制御プレーン・ノードは複数の隣接するロケーション・エリアに同時に応対してもよく、それにより配備コストが削減される。
【図面の簡単な説明】
【００３４】
本発明の実施形態における技術的解決手段をより明確に説明するために、以下、実施形態の説明に必要な添付図面を簡単に説明する。明らかに、以下の説明における添付図面は本発明のいくつかの実施形態しか示しておらず、当業者は創作的労力なしにこれらの添付図面から他の図面を導出してよい。
【００３５】
【図１Ａ】図１Ａは本発明の実施形態によるモバイル通信ネットワークの論理アーキテクチャの図である。
【００３６】
【図１Ｂ】図１Ｂは本発明の実施形態による別のモバイル通信ネットワークの論理アーキテクチャの図である。
【００３７】
【図１Ｃ】図１Ｃは本発明の実施形態による次世代通信ネットワークの論理アーキテクチャの図である。
【００３８】
【図１Ｄ】図１Ｄは本発明の実施形態によるＥＰＳネットワークの論理アーキテクチャの図である。
【００３９】
【図１Ｅ】図１Ｅは本発明の実施形態によるｅＬＴＥネットワークの論理アーキテクチャの図である。
【００４０】
【図１Ｆ】図１Ｆは本発明の実施形態による２Ｇ／３Ｇネットワークの論理アーキテクチャの図である。
【００４１】
【図１Ｇ】図１Ｇは本発明の実施形態による制御プレーン・ノードの概略的な構造図である。
【００４２】
【図２】図２は本発明の実施形態によるローカル・ネットワーク・コネクション方法のフローチャートである。
【００４３】
【図３Ａ】図３Ａ、図３Ｂ、図３Ｃ及び図３Ｄは本発明の実施形態による別のローカル・ネットワーク・コネクション方法のフローチャートである。
【図３Ｂ】図３Ａ、図３Ｂ、図３Ｃ及び図３Ｄは本発明の実施形態による別のローカル・ネットワーク・コネクション方法のフローチャートである。
【図３Ｃ】図３Ａ、図３Ｂ、図３Ｃ及び図３Ｄは本発明の実施形態による別のローカル・ネットワーク・コネクション方法のフローチャートである。
【図３Ｄ】図３Ａ、図３Ｂ、図３Ｃ及び図３Ｄは本発明の実施形態による別のローカル・ネットワーク・コネクション方法のフローチャートである。
【００４４】
【図４Ａ】図４Ａは本発明の実施形態によるローカル・ネットワーク・コネクション装置のブロック図である。
【００４５】
【図４Ｂ】図４Ｂは本発明の実施形態による別のローカル・ネットワーク・コネクション装置のブロック図である。
【発明を実施するための形態】
【００４６】
本発明の課題、技術的解決手段、及び利点を明確にするため、以下、添付図面を参照して本発明の実装を更に説明する。
【００４７】
本発明の実施形態が詳細に説明される前に、本発明の実施形態のアプリケーション・シナリオが先ず説明される。本発明の実施形態で提供されるローカル・ネットワーク・アクセス方法は、モバイル通信ネットワークを利用することにより、ユーザー装置をローカル・ネットワークに接続するために、モバイル通信ネットワークに適用される。モバイル通信ネットワークの論理アーキテクチャに関し、図１Ａを参照する。
【００４８】
図１Ａに関し、ユーザー・プレーン・ノード１４はパブリック・ネットワークのユーザー・プレーン・ノード及びローカル・ネットワークのユーザー・プレーン・ノードを含んでよい。パブリック・ネットワークのユーザー・プレーン・ノードは、外部パケット・データ・ネットワークに対するアクセスを提供するように構成され、ローカル・ネットワークのユーザー・プレーン・ノードはローカル・ネットワークに対するアクセスを提供するように構成される。例えば、企業キャンパスの場合、キャンパス企業ネットワークへのアクセスを提供するために、ローカル・ネットワークのユーザー・プレーン・ノードは、キャンパスに又はキャンパス近辺の位置に配備されてよい。図１Ｂを参照すると、キャンパスの範囲外において、ユーザー装置は、パブリック・ネットワークのユーザー・プレーン・ノード１４１を利用することにより外部パケット・データ・ネットワークにアクセスしてもよく；キャンパスの範囲内において、ユーザー装置は、ローカル・ネットワークのユーザー・プレーン・ノード１４２を利用することによりキャンパスのキャンパス企業ネットワークにアクセスしてもよい。
【００４９】
実際のアプリケーションでは、上記のモバイル通信ネットワークは、次世代通信ネットワーク、ＥＰＳ(Evolved  Packet  System)ネットワーク、ｅＬＴＥ(evolved  Long  Term  Evolution)ネットワーク、２Ｇ／３Ｇ(2nd  Generation/The  3rd  Generation)ネットワーク等であってもよい。
【００５０】
以下、上記の４つのモバイル通信ネットワークが添付図面を参照しながら詳細に更に説明される。
【００５１】
（１）次世代通信ネットワーク
【００５２】
モバイル通信ネットワークが次世代通信ネットワークである場合、図１Ａに示される論理アーキテクチャの図に関し、制御プレーン・ノード１０３は制御プレーン機能ネットワーク要素であり、ユーザー・プレーン・ノード１４はユーザー・プレーン機能ネットワーク要素である。
【００５３】
図１Ｃは、本発明の実施形態による次世代通信ネットワークの論理アーキテクチャの図である。図１Ｃに示されるように、次世代通信ネットワークの論理アーキテクチャは、ユーザー装置２１と、アクセス・ノード２２と、制御プレーン機能ネットワーク要素２３と、ユーザー・プレーン機能ネットワーク要素２４とを含む。
【００５４】
アクセス・ノード２２は、ＮｅｘｔＧｅｎ(Next  Generation  Air  Transportation  System)であってもよく、制御プレーン機能ネットワーク要素２３はＣＰ(Control  Plane)又はＣＣＦ(Core  Control  Function)であってもよく、ユーザー・プレーン機能ネットワーク要素２４はＵＰ(User  Plane)であってもよい。
【００５５】
制御プレーン機能ネットワーク要素２３は、セッション管理(Session  Management，SM)ファンクション及びモビリティ管理(Mobility  Management，MM)ファンクションのように独立した機能ネットワーク要素に更に分割されてもよい。セッション管理ファンクションは、ユーザー装置のセッション設定、アップデート、削除のような機能に対する責任を負い、モビリティ管理ファンクションはユーザー装置のモビリティ管理に対する責任を負う。
【００５６】
（２）ＥＰＳネットワーク
【００５７】
モバイル通信ネットワークがＥＰＳネットワークである場合、図１Ａに示される論理アーキテクチャの図に関し、アクセス・ノード１２はアクセス・ネットワークであり、制御プレーン・ノード１３はモビリティ管理エンティティであり、ユーザー・プレーン・ノード１４はサービング・ゲートウェイ(Serving  Gateway，SGW)及びパケット・データ・ネットワーク・ゲートウェイ(Packet  Data  Network  Gateway，PGW)である。
【００５８】
図１Ｄは本発明の実施形態によるＥＰＳネットワークの論理アーキテクチャの図である。図１Ｃに示されるように、ＥＰＳネットワークの論理アーキテクチャは、ユーザー装置３１と、アクセス・ネットワーク３２と、モビリティ管理エンティティ３３と、サービング・ゲートウェイ３４１と、パケット・データ・ネットワーク・ゲートウェイ３４２とを含む。
【００５９】
モビリティ管理エンティティ３３は、ユーザー装置のロケーション管理、コネクション管理、セキュリティ認証、及びゲートウェイ選択のような機能に対する責任を負う。サービング・ゲートウェイ３４１は、ユーザー端末のローカル・アクセス・ゲートウェイであり、アクセス技術に関するデータを転送する責任を負う。パケット・データ・ネットワーク・ゲートウェイ３４２は、ユーザー端末が外部データ・ネットワークにアクセスするためのゲートウェイである。更に、ＥＰＳネットワークにおいて、サービング・ゲートウェイ３４１及びパケット・データ・ネットワーク３４２は、コネクション管理のようないくつかの制御プレーン機能を更に実行する。
【００６０】
（３）ｅＬＴＥネットワーク
【００６１】
モバイル通信ネットワークがｅＬＴＥネットワークである場合、図１Ａに示される論理アーキテクチャの図に関し、アクセス・ノード１２はアクセス・ネットワークであり、制御プレーン・ノード１３はモビリティ管理エンティティであり、ユーザー・プレーン・ノード１４はユーザー・プレーン・サービング・ゲートウェイ及びユーザー・プレーン・パケット・データ・ネットワーク・ゲートウェイである。
【００６２】
ｅＬＴＥネットワークはＥＰＳネットワークの強化されたネットワークであることに留意すべきである。ｅＬＴＥネットワークとＥＰＳネットワークとの間の相違は、ｅＬＴＥネットワークがサービング・ゲートウェイを制御プレーン・サービング・ゲートウェイとユーザー・プレーン・サービング・ゲートウェイとに分割しており、パケット・データ・ネットワーク・ゲートウェイを、制御プレーン・パケット・データ・ネットワーク・ゲートウェイとユーザー・プレーン・パケット・データ・ネットワーク・ゲートウェイとに分割する点である。
【００６３】
図１Ｅは本発明の実施形態によるｅＬＴＥネットワークの論理アーキテクチャの図である。図１Ｅに示されるように、ｅＬＴＥネットワークの論理アーキテクチャは、ユーザー装置４１と、アクセス・ネットワーク４２と、モビリティ管理エンティティ４３と、ユーザー・プレーン・サービング・ゲートウェイ４４１と、ユーザー・プレーン・パケット・データ・ネットワーク・ゲートウェイ４４２と、制御プレーン・サービング・ゲートウェイ４５１と、制御プレーン・パケット・データ・ネットワーク・ゲートウェイ４５２とを含む。
【００６４】
（４）２Ｇ／３Ｇネットワーク
【００６５】
モバイル通信ネットワークが２Ｇ／３Ｇネットワークである場合、図１Ａに示される論理アーキテクチャの図に関し、アクセス・ノード１２はアクセス・ネットワークであってもよく、制御プレーン・ノード１３はサービングＧＰＲＳサポート・ノード(Serving  GPRS  Support  Node，SGSN)であってもよく、ユーザー・プレーン・ノード１４はゲートウェイＧＰＲＳサポート・ノード(Gateway  GPRS  Support  Node，GGSN)であってもよい。
【００６６】
図１Ｆは本発明の実施形態による２Ｇ／３Ｇネットワークの論理アーキテクチャの図である。図１Ｆに示されるように、２Ｇ／３Ｇネットワークの論理アーキテクチャは、ユーザー装置５１と、アクセス・ネットワーク５２と、サービングＧＰＲＳサポート・ノード５３と、ゲートウェイＧＰＲＳサポート・ノード５４とを含む。
【００６７】
２Ｇ／３Ｇネットワークは、ＧＳＭ(Global  System  for  Mobile  Communication)ネットワーク、ＧＰＲＳ(General  Packet  Radio  Service)ネットワーク、ＵＭＴＳ(Universal  Mobile  Telecommunications  System)ネットワーク等であってもよい。
【００６８】
本発明で提供される方法は図１Ａの制御プレーン・ノード１３により実行される。制御プレーン・ノード１３は、制御プレーン機能ネットワーク要素、モビリティ管理エンティティ(Mobility  Management  Entity，MME)、サービングＧＰＲＳサポート・ノード(Serving  GPRS  Support  Node，  SGSN)等であってもよいことが上記の説明から分かる。
【００６９】
更に、本発明の実施形態において、複数のローカル・ネットワークが同じロケーション・エリアにあるように予定されてもよく、制御プレーン・ノード１３は複数の隣接するロケーション・エリアに同時に応対してもよい。
【００７０】
具体的には、図１Ｇに関し、制御プレーン・ノードは、通信バス１３１と、メモリ１３２と、送信機１３３と、受信機１３４と、プロセッサ１３５とを含んでいてもよい。メモリ１３２，送信機１３３、受信機１３４、及びプロセッサ１３５は通信バス１３１を利用することにより相互接続されてよい。
【００７１】
送信機１３３及び受信機１３４は別のネットワーク・デバイスと通信するように構成される。例えば、制御プレーン・ノードは、アクセス・ノードにより送信されたロケーション・エリア・アイデンティティを受信するために、受信機１３４を利用することによりアクセス・ノードと通信してもよいし；あるいは送信機１３３を利用することによりローカル・ネットワーク・アイデンティティをユーザー装置へ送信するため、及び受信機１３４を利用することにより、ユーザー装置により送信されたローカル・ネットワーク・アイデンティティを受信するために、送信機１３３及び受信機１３４を利用することによりユーザー装置と通信してもよい。
【００７２】
メモリ１３２はプログラムを保存するように構成され、プロセッサ１３５は以下の方法を実現するようにメモリ１３２に保存されたプログラムを起動するように構成され、その方法は：
アクセス・ノードにより送信されたロケーション・エリア・アイデンティティを受信するステップであって、ロケーション・エリア・アイデンティティは、ユーザー装置により送信されたアクセス・リクエストを受信した場合にアクセス・ノードにより送信され、且つユーザー装置が現在位置するロケーション・エリアを示すために使用される、ステップ；
ロケーション・エリア・アイデンティティに基づいて少なくとも１つのローカル・ネットワーク・アイデンティティを決定し、少なくとも１つのローカル・ネットワーク・アイデンティティをユーザー装置へ送信するステップ；
ユーザー装置により送信されたコネクション設定リクエストを受信するステップであって、コネクション設定リクエストは、少なくとも１つのローカル・ネットワーク・アイデンティティに基づいてユーザー装置により選択された第１ローカル・ネットワーク・アイデンティティを運ぶ、ステップ；及び
第１ローカル・ネットワーク・アイデンティティに基づいてユーザー装置と第１ローカル・ネットワークとの間にコネクションを設定するステップを有する。
【００７３】
プロセッサ１３５は集積回路チップであってもよく、信号処理能力を有することに留意すべきである。実装プロセスにおいて、上記のステップは、プロセッサにおけるハードウェアの統合された論理回路、又はソフトウェア形式における命令を利用することにより達成されてもよい。命令はプロセッサと協調することにより実現及び制御されてもよい。プロセッサは、汎用プロセッサ、ディジタル信号プロセッサ(digital  signal  processor，DSP)、特定用途向け集積回路(application-specific  integrated  circuit，ASIC)、フィールド・プログラマブル・ゲート・アレイ(field  programmable  gate  array，FPGA)、他のプログラム可能な論理デバイス、個別ゲート又はトランジスタ論理デバイス、又は個別ハードウェア・アセンブリであってもよい。
【００７４】
汎用プロセッサはマイクロプロセッサであってもよく、あるいは任意の従来のプロセッサ、デコーダ等であってもよい。本発明の実施形態に関連して開示される方法のステップは、ハードウェア・プロセッサを利用することにより直接的に実現されてもよいし、あるいはプロセッサにおけるハードウェア・モジュール及びソフトウェア・モジュールの組み合わせを利用することにより実現されてもよい。ソフトウェア・モジュールは、ランダム・アクセス・メモリ、フラッシュ・メモリ、リード・オンリ・メモリ、プログラム可能なリード・オンリ・メモリ、電気的に消去可能なプログラム可能なメモリ、又はレジスタのような当該分野で成熟したストレージ媒体に配置されてもよい。
【００７５】
更に、送信機１３３及び受信機１３４は２個の別個のハードウェアであってもよいし、あるいは全体として制御プレーン・ノードに統合されてもよい。例えば、送信機１３３及び受信機１３４は１つのトランシーバに統合されてもよい。
【００７６】
更に、制御プレーン・ノードは、制御プレーン・ノードと別のネットワーク・デバイスとの間の通信をサポートするように構成される通信インターフェースを更に含んでいてもよい。データ・バスに加えて、通信バス１３１は、電力バス、制御バス、及び状態信号バスを更に含む。しかしながら、説明の明確化のため、図１Ｃでは様々なバスが通信バス１３１として示されている。
【００７７】
図２は本発明の実施形態によるローカル・ネットワーク・コネクション方法のフローチャートである。本方法の相互作用の主体は、ユーザー装置、アクセス・ノード、及び制御プレーン・ノードである。図２を参照すると、本方法は以下のステップを含む：
【００７８】
ステップ２０１：ユーザー装置がアクセス・リクエストをアクセス・ノードへ送信する。
【００７９】
アクセス・ノードは、ユーザー装置が現在位置するロケーション・エリアに対応するアクセス・ノードである。アクセス・リクエストは、ロケーション・エリア・アップデート・リクエスト又はアタッチ・リクエストを含む。ロケーション・エリア・アップデート・リクエストは、ユーザー装置が位置するロケーション・エリアが変わった場合にユーザー装置により送信され、アタッチ・リクエストは装置がイネーブルにされた場合にユーザー装置により送信される。アクセス・ノードはアクセス・リクエスト・メッセージを制御プレーン・ノードへ転送することを要する。
【００８０】
例えば、ローカル・ネットワークが配備されている企業キャンパスと、企業キャンパス外のエリアとは、異なるロケーション・エリアであり、従って、ユーザー装置が、企業キャンパス外のエリアから企業キャンパスへ移動する場合、ロケーション・エリアは変わる。従って、ユーザー装置は、ロケーション・エリア・アップデート・プロセスを開始するように促され、そのプロセスで先ずロケーション・エリア・アップデート・リクエストをアクセス・ノードへ送信する。
【００８１】
ステップ２０２：ユーザー装置により送信されたアクセス・リクエストを受信すると、アクセス・ノードは、ユーザー装置が現在位置するロケーション・エリアを決定し、ロケーション・エリア・アイデンティティを制御プレーン・ノードへ送信する。
【００８２】
ロケーション・エリア・アイデンティティは、ユーザー装置が現在位置するロケーション・エリアを示すために使用される。
【００８３】
本発明のこの実施形態において、アクセス・ノードは、応対される地理的範囲を異なるロケーション・エリアに分割し、各々のロケーション・エリアに対して、対応するロケーション・エリア・アイデンティティを設定してもよい。ロケーション・エリア・アイデンティティは、ロケーション・エリアを一意に示すために使用される。具体的には、ロケーション・エリア・アイデンティティは、ロケーション・エリアの名前や番号等であってもよく、本発明のこの実施形態で限定されない。
【００８４】
ユーザー装置により送信されたアクセス・リクエストを受信すると、アクセス・ノードは、ユーザー装置が現在位置するロケーション・エリアのロケーション・エリア・アイデンティティを決定し、ロケーション・エリア・アイデンティティを制御プレーン・ノードへ送信してもよい。
【００８５】
ＥＰＳネットワーク、ｅＬＴＥネットワーク、及び２Ｇ／３Ｇネットワークに関し、ユーザー装置により送信されるロケーション・エリア・アップデート・リクエストは、ルーティング・エリア・アップデート・リクエスト、又はトラッキング・エリア・アップデート・リクエストであってもよい。これに対応して、アクセス・ノードにより送信されるロケーション・エリア・アイデンティティは、ルーティング・エリア・アイデンティティ(Routing  area  identity，RAI)、又はトラッキング・エリア・アイデンティティ(Tracking  area  identity，TAI)であってもよい。
【００８６】
更に、アクセス・ノードは、受信したアクセス・リクエストを制御プレーン・ノードへ更に転送する。
【００８７】
ステップ２０３：制御プレーン・ノードは、アクセス・ノードにより送信されたロケーション・エリア・アイデンティティを受信し、ロケーション・エリア・アイデンティティに基づいて少なくとも１つのローカル・ネットワーク・アイデンティティを決定し、少なくとも１つのローカル・ネットワーク・アイデンティティをユーザー装置へ送信する。
【００８８】
ローカル・ネットワーク・アイデンティティは、ローカル・ネットワークを一意に示すために使用され、ローカル・ネットワークに対応するアクセス・ポイント名(Access  Point  Name，APN)、ローカル・ネットワークのネットワーク名、ローカル・ネットワークの企業名等であってもよい。これは本発明のこの実施形態で限定されない。更に、ローカル・ネットワーク・アイデンティティは、文字、数字、特殊文字等の組み合わせを利用することにより識別されてもよい。例えば、ローカル・ネットワーク・アイデンティティは、enterprise01，enterprise01.mnc012.mcc345.gprs，enterprise01.mnc034.mcc567.org等であってもよい。
【００８９】
本発明のこの実施形態において、ロケーション・エリア・アイデンティティに基づいて少なくとも１つのローカル・ネットワーク・アイデンティティを決定することは、以下のいくつかの可能な実装を含んでもよい。
【００９０】
第１方法において、ロケーション・エリア・アイデンティティに対応するローカル・ネットワーク・アイデンティティは、保存されたロケーション・エリア・リストから取得され、ロケーション・エリア・リストは、複数のロケーション・エリア・アイデンティティと、対応するローカル・ネットワーク・アイデンティティとを保存し；ロケーション・エリア・アイデンティティに対応するローカル・ネットワーク・アイデンティティが、少なくとも１つのローカル・ネットワーク・アイデンティティとして決定される。
【００９１】
本発明のこの実施形態において、複数のローカル・ネットワークは同じロケーション・エリアにあるように予定されてもよいこと、及び１つの制御プレーン・ノードが複数の隣接するロケーション・エリアに同時に応対してよいことに留意すべきである。従って、各々のロケーション・エリアは、１つ以上のローカル・ネットワーク・アイデンティティに対応する１つ以上のローカル・ネットワークを有してもよく、様々なロケーション・エリアは、１つ以上の異なるローカル・ネットワークに対応してよい。更に、本発明のこの実施形態において、様々なロケーション・エリア・アイデンティティと、対応するローカル・ネットワーク・アイデンティティとが、事前にロケーション・エリア・リストに保存されてもよく、それにより、ロケーション・エリア・アイデンティティに対応するローカル・ネットワーク・アイデンティティはロケーション・エリア・リストに基づいて照合される。
【００９２】
制御プレーン・ノードは、ローカルに保存されたロケーション・エリア・リストから、対応するローカル・ネットワーク・アイデンティティを取得してもよく、あるいはロケーション・エリア・アイデンティティを別のネットワーク要素へ送信し、別のネットワーク要素により保存されるロケーション・エリア・リストから、対応するローカル・ネットワーク・アイデンティティを取得してもよい。これは本発明のこの実施形態で限定されない。
【００９３】
具体的に言えば、制御プレーン・ノードは事前にロケーション・エリア・リストを保存してもよく、例えば、ロケーション・エリア・リストは、オペレーション及びメンテナンス(Operation  and  Maintenance，O＆M)エンドを利用することにより、事前に制御プレーン・ノードにおいて設定されてもよく；あるいは制御プレーン・ノードは、別のネットワーク要素からロケーション・エリア・リストを取得し、そのロケーション・エリア・リストを制御プレーン・ノードに保存する。当然に、制御プレーン・ノードはロケーション・エリア・リストを保存しなくてもよい。ロケーション・エリア・アイデンティティを受信すると、制御プレーン・ノードは、ロケーション・エリア・アイデンティティを別の機能ネットワーク要素へ送信してもよく、別の機能ネットワーク要素は、ロケーション・エリア・リストから、対応するローカル・ネットワーク・アイデンティティを取得し、対応するローカル・ネットワーク・アイデンティティを制御プレーン・ノードへ返す。
【００９４】
別の機能ネットワーク要素は、加入データ・センター、ホーム加入者サーバー、ポリシー機能ネットワーク要素等であってもよく、これは本発明のこの実施形態で限定されない。
【００９５】
第２方法において、ロケーション・エリア・アイデンティティに対応するローカル・ネットワーク・アイデンティティが、保存されたロケーション・エリア・リストから取得された後、ユーザー装置のローカル・ネットワーク・アクセス指示情報、ローカル・ネットワーク加入情報、及びオペレータ・ポリシーのうちの少なくとも何れかを参照して、少なくとも１つのローカル・ネットワーク・アイデンティティが決定される。
【００９６】
具体的には、以下のいくつかの可能な実装が含まれてよい。
【００９７】
１．少なくとも１つのローカル・ネットワーク・アイデンティティが、ロケーション・エリア・リストとユーザー装置のローカル・ネットワーク・アクセス指示情報とを参照して決定される。
【００９８】
具体的には、制御プレーン・ノードは：保存されたロケーション・エリア・リストから、ロケーション・エリア・アイデンティティに対応するローカル・ネットワーク・アイデンティティを取得すること；ユーザー装置により送信されたアクセス・リクエストをアクセス・ノードを利用することにより受信することであって、アクセス・リクエストはローカル・ネットワーク・アクセス指示情報を運び、ローカル・ネットワーク・アクセス指示情報は、ユーザー装置がローカル・ネットワークへアクセスするのを許可されているか否かを示すために使用される、こと；及びローカル・ネットワーク・アクセス指示情報が、ユーザー装置はローカル・ネットワークへアクセスするのを許可されていることを示す場合に、ロケーション・エリア・アイデンティティに対応するローカル・ネットワーク・アイデンティティを、少なくとも１つのローカル・ネットワーク・アイデンティティとして決定することを行ってよい。
【００９９】
更に、ローカル・ネットワーク・アクセス指示情報が、ユーザー装置はローカル・ネットワークへアクセスするのを許可されていないことを示す場合、制御プレーン・ノードは、最早ローカル・ネットワーク・アイデンティティを決定せず、如何なるローカル・ネットワーク・アイデンティティもユーザー装置へ送信しなくてよい。
【０１００】
アクセス・リクエストで運ばれるローカル・ネットワーク・アクセス指示情報は、以下のいくつかの形式を含んでよい。
【０１０１】
（１）アクセス・リクエストは、ユーザー装置がローカル・ネットワークへアクセスするのを許可されていないことを示すために使用される一種の指示情報を運んでもよい。例えば、アクセス・リクエストが指示情報を運んでいる場合、それは、ユーザー装置がローカル・ネットワークへアクセスするのを許可されていないことを示し；あるいはアクセス・リクエストが指示情報を運んでいない場合、それはユーザー装置がローカル・ネットワークへアクセスするのを許可されていることを示す。
【０１０２】
（２）アクセス・リクエストは、ユーザー装置がローカル・ネットワークへアクセスするのを許可されていることを示すために使用される一種の指示情報を運んでもよい。例えば、アクセス・リクエストが指示情報を運んでいる場合、それはユーザー装置がローカル・ネットワークへアクセスするのを許可されていることを示し；あるいはアクセス・リクエストが指示情報を運んでいない場合、それは、ユーザー装置がローカル・ネットワークへアクセスするのを許可されていないことを示す。
【０１０３】
（３）アクセス・リクエストは、２種類の指示情報を含んでもよく、第１指示情報はユーザー装置がローカル・ネットワークへアクセスするのを許可されていることを示すために使用され、第２指示情報はユーザー装置がローカル・ネットワークへアクセスするのを許可されていないことを示すために使用される。例えば、アクセス・リクエストが第１指示情報を運んでいる場合、それはユーザー装置がローカル・ネットワークへアクセスするのを許可されていることを示し；あるいはアクセス・リクエストが第２指示情報を運んでいる場合、それはユーザー装置がローカル・ネットワークへアクセスするのを許可されていないことを示す。
【０１０４】
ユーザー装置のローカル・ネットワーク・アクセス指示情報は、ユーザーの意向を示してもよいことに留意すべきである。実際のアプリケーションでは、同意オプション及び／又は拒否オプションがユーザー装置で設定されてもよく、ユーザーが、使用されているユーザー装置によりローカル・ネットワークへアクセスすることに同意するか否かを示すために使用される。同意オプションに対するトリガー操作が検出される場合、アクセス・リクエストは、ユーザー装置がローカル・ネットワークへアクセスするのを許可されていることを示すローカル・ネットワーク・アクセス指示情報を運んでもよい。拒否オプションに対するトリガー操作が検出される場合、アクセス・リクエストは、ユーザー装置がローカル・ネットワークへアクセスするのを許可されていないことを示すローカル・ネットワーク・アクセス指示情報を運んでもよい。
【０１０５】
２．少なくとも１つのローカル・ネットワーク・アイデンティティが、ロケーション・エリア・リストとローカル・ネットワーク加入情報とを参照して決定される。
【０１０６】
本発明のこの実施形態において、ローカル・ネットワーク・コネクションに対する管理方法を拡張し、コネクションの的確性及びコネクションの効率を改善するために、制御プレーン・ノードは、ローカル・ネットワーク加入情報を参照して、ユーザー装置がアクセスするのを許可するローカル・ネットワークを更に管理してもよい。
【０１０７】
ユーザー装置のローカル・ネットワーク加入情報は、ローカル・ネットワーク・アイデンティティ情報又はネットワーク・ケーパビリティ指示情報を含んでよい。ローカル・ネットワーク・アイデンティティ情報は、ユーザー装置がアクセスするのを許可するローカル・ネットワークのアイデンティティであり、ネットワーク・ケーパビリティ指示情報は、ユーザー装置がローカル・ネットワークへアクセスするのを許可されているか否かを示すために使用される。
【０１０８】
これに対応して、ロケーション・エリア・リスト及びローカル・ネットワーク加入情報を参照して少なくとも１つのローカル・ネットワーク・アイデンティティを決定することは、以下の２つの実装を含んでもよい。
【０１０９】
（１）ロケーション・エリア・アイデンティティに対応するローカル・ネットワーク・アイデンティティが、保存されたロケーション・エリア・リストから取得され；ユーザー装置のローカル・ネットワーク加入情報が取得され、ローカル・ネットワーク加入情報はローカル・ネットワーク・アイデンティティ情報を含み、ローカル・ネットワーク・アイデンティティ情報は、ユーザー装置がアクセスするのを許可するローカル・ネットワークのアイデンティティであり；及び少なくとも１つのローカル・ネットワーク・アイデンティティが、ロケーション・エリア・アイデンティティに対応するローカル・ネットワーク・アイデンティティとローカル・ネットワーク・アイデンティティ情報とに基づいて決定される。
【０１１０】
ロケーション・エリア・アイデンティティに対応するローカル・ネットワーク・アイデンティティとローカル・ネットワーク・アイデンティティ情報とに基づいて少なくとも１つのローカル・ネットワーク・アイデンティティを決定することは、ユーザー装置がアクセスするのを許可するローカル・ネットワークのアイデンティティであってローカル・ネットワーク・アイデンティティ情報に含まれるアイデンティティと同じローカル・ネットワーク・アイデンティティを、ロケーション・エリア・アイデンティティに対応するローカル・ネットワーク・アイデンティティから決定すること、及び少なくとも１つのローカル・ネットワーク・アイデンティティと同じローカル・ネットワーク・アイデンティティを決定することである。
【０１１１】
この実装において、ユーザー装置が加入済みのローカル・ネットワークへアクセスすることをモバイル通信ネットワーク・オペレータが許可していることを示し；及びローカル・ネットワーク加入情報における加入済みローカル・ネットワークのアイデンティティを、ローカル・ネットワーク・アイデンティティ情報として保存するために、ユーザー装置は事前に何らかのローカル・ネットワークに加入していてもよい。以後、ロケーション・エリア・アイデンティティに対応するローカル・ネットワーク・アイデンティティがロケーション・エリア・リストから取得される場合に、ローカル・ネットワーク・アイデンティティのうちの何れのローカル・ネットワーク・アイデンティティが事前に加入済みのローカル・ネットワークのアイデンティティであるかを確認することが可能であり、ローカル・ネットワーク・アイデンティティのうち加入済みのローカル・ネットワークのアイデンティティが、ユーザー装置に送信される少なくとも１つのローカル・ネットワークとして使用される。
【０１１２】
（２）ロケーション・エリア・アイデンティティに対応するローカル・ネットワーク・アイデンティティが、保存されたロケーション・エリア・リストから取得され；ユーザー装置のローカル・ネットワーク加入情報が取得され、ローカル・ネットワーク加入情報はネットワーク・ケーパビリティ指示情報を含み、ネットワーク・ケーパビリティ指示情報は、ユーザー装置がローカル・ネットワークへアクセスするのを許可されている否かを示すために使用され；及びネットワーク・ケーパビリティ指示情報が、ユーザー装置はローカル・ネットワークへアクセスするのを許可されていることを示す場合に、ロケーション・エリア・アイデンティティに対応するローカル・ネットワーク・アイデンティティが、少なくとも１つのローカル・ネットワーク・アイデンティティとして決定される。
【０１１３】
更に、ネットワーク・ケーパビリティ指示情報が、ユーザー装置はローカル・ネットワークへアクセスするのを許可されていないことを示す場合、制御プレーン・ノードは、最早ローカル・ネットワーク・アイデンティティを決定せず、如何なるローカル・ネットワーク・アイデンティティもユーザー装置へ送信しなくてよい。
【０１１４】
方法（１）と比較すると、方法２においては、個別的なローカル・ネットワークに加入するのではなく、ユーザー装置は全てのローカル・ネットワークにまとめて加入してよい。加入の後、ユーザー装置は全てのローカル・ネットワークにアクセスするケーパビリティを有することが可能であり、そのケーパビリティは、ネットワーク・ケーパビリティ指示情報を利用することにより指示されてよい。従って、方法（２）の管理方法はより簡易であり、それにより制御プレーン・ノードの管理負担は削減され、管理効率が改善される。
【０１１５】
上記２種類のローカル・ネットワーク加入情報は、データ管理ネットワーク要素から取得されてもよいことに留意すべきである。具体的には、次世代通信ネットワークに関し、データ管理ネットワーク要素は加入データ・センターであってもよく；ＥＰＳネットワーク、ｅＬＴＥネットワーク、及び２Ｇ／３Ｇネットワークに関し、データ管理ネットワーク要素は、ホーム加入者サーバー(Home  Subscriber  Server，HSS)又はホーム・ロケーション・レジスタ(Home  Location  Register，HLR)であってもよい。
【０１１６】
３．少なくとも１つのローカル・ネットワーク・アイデンティティが、ロケーション・エリア・リストとオペレータ・ポリシーとを参照して決定される。
【０１１７】
本発明のこの実施形態において、ローカル・ネットワーク・コネクションに対する管理方法を更に拡張し、コネクションの的確性及びコネクションの効率を改善するために、制御プレーン・ノードは、サービング・モバイル通信ネットワーク・オペレータのオペレータ・ポリシーを参照して、ユーザー装置がアクセスするのを許可するローカル・ネットワークを更に管理してもよい。
【０１１８】
オペレータ・ポリシーは、ローカル・ネットワーク・アイデンティティ情報又はネットワーク・ケーパビリティ指示情報を含んでもよい。それに対応して、ロケーション・エリア・リストとオペレータ・ポリシーとを参照して少なくとも１つのローカル・ネットワーク・アイデンティティを決定することは、以下の２つの実装を含んでもよい。
【０１１９】
（１）ロケーション・エリア・アイデンティティに対応するローカル・ネットワーク・アイデンティティが、保存されたロケーション・エリア・アイデンティティ・リストから取得され；オペレータ・ポリシーが取得され、オペレータ・ポリシーはローカル・ネットワーク・アイデンティティ情報を含み、ローカル・ネットワーク・アイデンティティ情報は、ユーザー装置がアクセスするのを許可するローカル・ネットワークのアイデンティティであり；及びロケーション・エリア・アイデンティティに対応するローカル・ネットワーク・アイデンティティとローカル・ネットワーク・アイデンティティ情報とに基づいて、少なくとも１つのローカル・ネットワーク・アイデンティティが決定される。
【０１２０】
ロケーション・エリア・アイデンティティに対応するローカル・ネットワーク・アイデンティティとローカル・ネットワーク・アイデンティティ情報とに基づいて、少なくとも１つのローカル・ネットワーク・アイデンティティを決定することは、ユーザー装置がアクセスするのを許可するローカル・ネットワークのアイデンティティであってローカル・ネットワーク・アイデンティティ情報に含まれるアイデンティティと同じローカル・ネットワーク・アイデンティティを、ロケーション・エリア・アイデンティティに対応するローカル・ネットワーク・アイデンティティから決定すること、及び少なくとも１つのローカル・ネットワーク・アイデンティティと同じローカル・ネットワーク・アイデンティティを決定することである。
【０１２１】
（２）ロケーション・エリア・アイデンティティに対応するローカル・ネットワーク・アイデンティティが、保存されたロケーション・エリア・アイデンティティ・リストから取得され；オペレータ・ポリシーが取得され、オペレータ・ポリシーはネットワーク・ケーパビリティ指示情報を有し、ネットワーク・ケーパビリティ指示情報は、ユーザー装置がローカル・ネットワークへアクセスするのを許可されているか否かを示すために使用され；及びネットワーク・ケーパビリティ指示情報が、ユーザー装置はローカル・ネットワークへアクセスするのを許可されていることを示す場合に、ロケーション・エリア・アイデンティティに対応するローカル・ネットワーク・アイデンティティが、少なくとも１つのローカル・ネットワーク・アイデンティティとして決定される。
【０１２２】
更に、ネットワーク・ケーパビリティ指示情報が、ユーザー装置はローカル・ネットワークへアクセスするのを許可されていないことを示す場合、制御プレーン・ノードは、最早ローカル・ネットワーク・アイデンティティを決定せず、如何なるローカル・ネットワーク・アイデンティティもユーザー装置へ送信しなくてよい。
【０１２３】
４．少なくとも１つのローカル・ネットワークが、上記３つの方法のうち任意の２つを組み合わせることにより、あるいは上記３つの方法を組み合わせることにより決定される。
【０１２４】
例えば、上記３つの方法が組み合わせられる場合、制御プレーン・ノードは、ロケーション・エリア・リストと、ユーザー装置のローカル・アクセス指示情報と、ネットワーク加入情報と、オペレータ・ポリシーとを参照して少なくとも１つのローカル・ネットワーク・アイデンティティを総合的に決定してもよい。
【０１２５】
具体的には、制御プレーン・ノードは、ロケーション・エリア・アイデンティティに対応するローカル・ネットワーク・アイデンティティをロケーション・エリア・リストから取得すること；ユーザー装置により送信されたアクセス・リクエストをアクセス・ノードを利用することにより受信することであって、アクセス・リクエストはローカル・ネットワーク・アクセス指示情報を運んでいる、こと；ユーザー装置のローカル・ネットワーク加入情報とオペレータ・ポリシーとを取得すること；ロケーション・エリア・アイデンティティに対応するローカル・ネットワーク・アイデンティティと、ローカル・ネットワーク・アクセス指示情報と、ローカル・ネットワーク加入情報と、オペレータ・ポリシーとに基づいて、少なくとも１つのローカル・ネットワーク・アイデンティティを総合的に決定することを行ってもよい。
【０１２６】
例えば、ローカル・ネットワーク加入情報がローカル・ネットワーク・アイデンティティ情報を含み、オペレータ・ポリシーがネットワーク・ケーパビリティ指示情報を含む場合において、ユーザー装置により送信されたアクセス・リクエストにおけるネットワーク・アクセス指示情報が、ユーザー装置はローカル・ネットワークへアクセスするのを許可されていることを示し、オペレータ・ポリシーにおけるネットワーク・ケーパビリティ指示情報が、ユーザー装置はローカル・ネットワークへアクセスするのを許可されていることを示す場合、制御プレーン・ノードは、ユーザー装置がアクセスするのを許可するローカル・ネットワークのアイデンティティであってローカル・ネットワーク加入情報におけるローカル・ネットワーク・アイデンティティ情報に含まれるアイデンティティと同じローカル・ネットワーク・アイデンティティを、ロケーション・エリア・アイデンティティに対応するローカル・ネットワーク・アイデンティティから決定することが可能である。
【０１２７】
ネットワーク・アクセス指示情報が、ユーザー装置はローカル・ネットワークへアクセスするのを許可されていないことを示す場合、又はネットワーク・ケーパビリティ指示情報が、ユーザー装置はローカル・ネットワークへアクセスするのを許可されていないことを示す場合、制御プレーン・ノードは、最早ローカル・ネットワーク・アイデンティティを決定せず、如何なるローカル・ネットワーク・アイデンティティもユーザー装置へ送信しなくてよい。
【０１２８】
別の例に関し、ローカル・ネットワーク加入情報がローカル・ネットワーク・アイデンティティ情報を含み、オペレータ・ポリシーもローカル・ネットワーク・アイデンティティ情報を含む場合において、ネットワーク・アクセス指示情報が、ユーザー装置はローカル・ネットワークへアクセスするのを許可されていることを示す場合、制御プレーン・ノードは、ローカル・ネットワーク加入情報におけるローカル・ネットワーク・アイデンティティ情報に含まれるローカル・ネットワーク・アイデンティティであって、オペレータ・ポリシーにおけるローカル・ネットワーク・アイデンティティ情報に含まれるローカル・ネットワーク・アイデンティティと同じローカル・ネットワーク・アイデンティティを、ロケーション・エリア・アイデンティティに対応するローカル・ネットワーク・アイデンティティから決定し、同じローカル・ネットワーク・アイデンティティを、少なくとも１つのローカル・ネットワーク・アイデンティティとして決定することが可能である。
【０１２９】
当然に、上記３つの方法が組み合わせられた後に別の実装が存在してもよく、詳細は本発明のこの実施形態でここでは説明されない。
【０１３０】
実際のアプリケーションでは、ローカル・ネットワーク加入情報又はオペレータ・ポリシーにおけるネットワーク・ケーパビリティ指示情報は、以下のいくつかの実装を含んでもよいことに留意すべきである。
【０１３１】
（１）ローカル・ネットワーク加入情報又はオペレータ・ポリシーは、ユーザー装置がローカル・ネットワークへアクセスするのを許可されないことを示すために使用される一種の指示情報を運んでもよい。例えば、指示情報が運ばれている場合、それは、ユーザー装置がローカル・ネットワークへアクセスするのを許可されていないことを示し；あるいは指示情報が運ばれていない場合、それはユーザー装置がローカル・ネットワークへアクセスするのを許可されていることを示す。
【０１３２】
（２）ローカル・ネットワーク加入情報又はオペレータ・ポリシーは、ユーザー装置がローカル・ネットワークへアクセスするのを許可されていることを示すために使用される一種の指示情報を運んでもよい。例えば、アクセス・リクエストが指示情報を運んでいる場合、それはユーザー装置がローカル・ネットワークへアクセスするのを許可されていることを示し；あるいはアクセス・リクエストが指示情報を運んでいない場合、それは、ユーザー装置がローカル・ネットワークへアクセスするのを許可されていないことを示す。
【０１３３】
（３）ローカル・ネットワーク加入情報又はオペレータ・ポリシーは、２種類の指示情報を含んでもよく、第１指示情報はユーザー装置がローカル・ネットワークへアクセスするのを許可されていることを示すために使用され、第２指示情報はユーザー装置がローカル・ネットワークへアクセスするのを許可されていないことを示すために使用される。例えば、第１指示情報が運ばれている場合、それはユーザー装置がローカル・ネットワークへアクセスするのを許可されていることを示し；あるいは第２指示情報が運ばれている場合、それはユーザー装置がローカル・ネットワークへアクセスするのを許可されていないことを示す。
【０１３４】
ステップ２０３は、以下のステップ２０３１ないし２０６を更に含んでよいことに更に留意すべきである。
【０１３５】
ステップ２０３１：制御プレーン・ノードが、アクセス・ノードにより送信されたロケーション・エリア・アイデンティティを受信する。
【０１３６】
ステップ２０３２：ユーザー装置のセキュリティを確認するために、ユーザー装置に関して認証を実行する。
【０１３７】
ステップ２０３３：ユーザー装置のロケーション・エリアが変わるユーザー装置に関し、ロケーション・エリアが変わる前に、ユーザー装置が、指定されたユーザー・プレーン・ノードを利用することによりネットワーク・コネクションを設定する場合、コネクションをアップデートするように、指定されたユーザー・プレーンに通知する。
【０１３８】
アップデートされたコネクションは、ユーザー装置からパケット・データ・ネットワークへのサービス・チャネルであり、パケット・データ・ネットワークにおいてユーザー装置とアプリケーション・サーバーとの間でユーザー・プレーン・データ・パケットを転送するように構成される。
【０１３９】
例えば、企業キャンパスのローカル・ネットワーク・カバレッジ・エリアに入る前に、ユーザー装置が、指定されたユーザー・プレーンを利用することによりパブリック・ネットワークに接続されている場合、ユーザー装置の現在のロケーション・エリア・アイデンティティ、及び新たなアクセス・ノードのユーザー・プレーン・データ・パケット転送アドレスのような、指定されたユーザー・プレーン・ノードにおけるユーザー装置のコネクション情報が、ステップ２０３３を利用することによりアップデートされることが可能である。
【０１４０】
ＥＰＳネットワークの場合、ユーザー・プレーン・ノードは２つのネットワーク要素ＳＧＷ及びＰＧＷを有するシステムであるので、制御プレーン・ノードはＳＧＷにおいてのみコネクション情報をアップデートする必要があるかもしれないことに留意すべきである。２つのネットワーク要素におけるコネクション情報がアップデートされることを必要とする場合、制御プレーン・ノードはＳＧＷを利用することによりＰＧＷと相互作用してもよい。それに対応して、ｅＬＴＥネットワークの場合、ユーザー・プレーン・ノードは、２つのネットワーク要素ＳＧＷ−Ｕ及びＰＧＷ−Ｕを有するシステムであるので、制御プレーン・ノードはＳＧＷ−Ｕにおいてのみコネクション情報をアップデートする必要があるかもしれない。２つのネットワーク要素におけるコネクション情報がアップデートされることを必要とする場合、制御プレーン・ノードはＳＧＷ−Ｕを利用することによりＰＧＷ−Ｕと相互作用してもよい。
【０１４１】
ステップ２０３４：ユーザー装置のロケーション・エリアが変わるユーザー装置に関し、ロケーション・エリアが変わった後に、対応する制御プレーン・ノードが変わる場合、変更された制御プレーン・ノードは、ユーザー装置の加入情報を取得することを要求するために加入データ・リクエストをデータ管理ネットワーク要素へ送信する。
【０１４２】
加入データ・リクエストを受信した後、データ管理ネットワーク要素は、そのリクエストに対する応答メッセージにより制御プレーン・ノードに答えることが可能であり、応答メッセージはユーザー装置の加入データを運ぶ。
【０１４３】
ユーザー装置の加入データは、ユーザー装置の料金表及びパッケージのようなデータを含んでいてもよい。データ管理ネットワーク要素は、ホーム加入者加入データを管理及び維持する責任を負うネットワーク要素である。具体的には、次世代通信ネットワークに関し、データ管理ネットワーク要素は加入データ・センター等であってもよく；ＥＰＳネットワーク、ｅＬＴＥネットワーク、及び２Ｇ／３Ｇネットワークの場合、データ管理ネットワーク要素は、ホーム加入者サーバー(Home  Subscriber  Server，HSS)、ホーム・ロケーション・レジスタ(Home  Location  Register，HLR)等であってもよい。
【０１４４】
変更された制御プレーン・ノードは現在のロケーション・エリアに対応する制御プレーン・ノードである。更に、アクセス・ノードもロケーション・エリア・アイデンティティを変更された制御プレーン・ノードへ送信し、変更された制御プレーン・ノードは関連するステップを実行する。
【０１４５】
更に、ユーザー装置のロケーション・エリアが変わるユーザー装置に関し、ロケーション・エリアが変わった後に、対応する制御プレーン・ノードは変わらない場合、ユーザー装置のロケーション・エリアが変わる前に、ユーザー装置が制御プレーン・ノードにアクセスする場合に、ユーザー装置の加入データが制御プレーン・ノードにより加入データ・センターから取得されてもよい。
【０１４６】
ステップ２０３５：ロケーション・エリア・アイデンティティに基づいて少なくとも１つのローカル・ネットワーク・アイデンティティを決定する。
【０１４７】
ステップ２０３６：少なくとも１つのローカル・ネットワーク・アイデンティティをユーザー装置へ送信する。
【０１４８】
上記のステップ２０３２ないし２０３４は選択的なステップであり、制御プレーン・ノードはそれらのステップを実行しても実行しなくてもよいことに留意すべきである。これは本発明のこの実施形態で限定されない。
【０１４９】
更に、ユーザー装置のアクセス・リクエストを受信した後に、制御プレーン・ノードはアクセス容認メッセージをユーザー装置へ更に送信してもよく、例えばロケーション・エリア・アップデート・リクエストに対するロケーション・エリア・アップデート容認メッセージ、あるいはアタッチ・リクエストに対するアタッチ容認メッセージを送信してよいことに更に留意すべきである。本発明のこの実施形態において、制御プレーン・ノードは、アクセス容認メッセージを利用することにより、少なくとも１つのローカル・ネットワーク・アイデンティティをユーザー装置へ送信してもよいし、あるいは他の別個のメッセージを利用することにより、少なくとも１つのローカル・ネットワーク・アイデンティティを送信してもよく、例えば、少なくとも１つのローカル・ネットワーク・アイデンティティは、ＥＰＳネットワークに類似するネットワークにおいてネットワーク名及びタイム・ゾーン情報を通知するためにネットワーク側で使用されるＥＭＭ情報メッセージを利用することにより、あるいは他の別途規定されるメッセージを利用することにより送信されてもよい。更に、少なくとも１つのローカル・ネットワーク・アイデンティティが他の別個のメッセージを利用することにより送信される場合、別個のメッセージは、ロケーション・エリア・アップデート／アタッチ・プロセスでユーザー装置へ送信されてもよいし、あるいはロケーション・エリア・アップデート／アタッチ・プロセスが終了した後にユーザー装置へ送信されてもよい。これは本発明のこの実施形態で限定されない。
【０１５０】
ステップ２０４：ユーザー装置は、制御プレーン・ノードにより送信された少なくとも１つのローカル・ネットワーク・アイデンティティを受信し、コネクション設定リクエストを制御プレーン・ノードへ送信し、コネクション設定リクエストは、少なくとも１つのローカル・ネットワーク・アイデンティティに基づいてユーザー装置により選択された第１ローカル・ネットワーク・アイデンティティを運ぶ。
【０１５１】
具体的には、制御プレーン・ノードにより送信された少なくとも１つのローカル・ネットワーク・アイデンティティを受信すると、ユーザー装置は少なくとも１つのネットワーク・アイデンティティを表示してもよく、ユーザーは、ユーザーの条件とユーザー装置により表示される少なくとも１つのローカル・ネットワーク・アイデンティティとに基づいて、ユーザーがアクセスすることを希望するローカル・ネットワーク、又は相対的に高い品質を有するローカル・ネットワークを選択することが可能である。例えば、ユーザーが企業Ａの従業者である場合に、企業Ａのキャンパスに入った後、ユーザーは、少なくとも１つの表示されるローカル・ネットワーク・アイデンティティに基づいて、企業Ａのローカル・ネットワークを選択及びアクセスしてもよい。別の具体例に関し、ユーザーがコーヒー・バーＢにおいてコーヒーを飲む場合に、ユーザーは、少なくとも１つの表示されるローカル・ネットワーク・アイデンティティに基づいて、コーヒー・バーＢのローカル・ネットワークを選択及びアクセスしてもよい。
【０１５２】
ローカル・ネットワークを選択した後、ユーザー装置は、選択した第１ローカル・ネットワーク・アイデンティティを運ぶコネクション設定リクエストを開始することが可能であり、コネクション設定リクエストは、第１ローカル・ネットワーク・アイデンティティにより示される第１ローカル・ネットワークとユーザー装置との間にコネクションを設定することを制御プレーン・ノードに要求するために使用される。
【０１５３】
ステップ２０５：制御プレーン・ノードは、ユーザー装置により送信されたコネクション設定リクエストを受信し、第１ローカル・ネットワーク・アイデンティティに基づいてユーザー装置と第１ローカル・ネットワークとの間にコネクションを設定する。
【０１５４】
具体的には、制御プレーン・ノードは、第１ローカル・ネットワーク・アイデンティティに基づいて、第１ローカル・ネットワーク・アイデンティティに対応するローカル・ユーザー・プレーン・ノードを決定し、及びユーザー装置と第１ローカル・ネットワークとの間にコネクションを設定するように、具体的に言えばユーザー装置が第１ローカル・ネットワークへアクセスできるようにローカル・ユーザー・プレーン・ノードに指示するために、コネクション通知をローカル・ユーザー・プレーン・ノードへ送信してもよい。
【０１５５】
様々な第１ローカル・ネットワーク・アイデンティティに関し、第１ローカル・ネットワーク・アイデンティティに対応するローカル・ユーザー・プレーン・ノードを決定するプロセスは異なり、以下のいくつかの方法を具体的に含んでもよいが、これらに限定されない。
【０１５６】
（１）第１ローカル・ネットワーク・アイデンティティが第１ローカル・ネットワークに対応するアクセス・ポイント名である場合、ローカル・ユーザー・プレーン・ノードはアクセス・ポイントに基づいて決定される。
【０１５７】
（２）第１ローカル・ネットワーク・アイデンティティが第１ローカル・ネットワークの企業名又はネットワーク名である場合、対応するアクセス・ポイント名は、ローカル・ネットワーク・アイデンティティとアクセス・ポイント名との間の対応関係に基づいて先ず決定され、ローカル・ユーザー・プレーン・ノードはアクセス・ポイント名に基づいて以後に決定される。
【０１５８】
ローカル・ネットワーク・アイデンティティとアクセス・ポイント名との間の対応関係は、オペレーション及びメンテナンス・エンドを利用することにより、事前に制御プレーン機能ネットワーク要素で設定されてもよいし、あるいは加入データ・センター、ホーム加入者サーバー、又はポリシー機能ネットワーク要素のような他のネットワーク要素から取得されてもよい。これは本発明のこの実施形態で限定されない。
【０１５９】
アクセス・ポイント名に基づいてローカル・ユーザー・プレーン・ノードを決定するための複数の方法が存在する。例えば、アクセス・ポイント名に対応するローカル・ユーザー・プレーン・ノード・アドレスは、ドメイン・ネーム・システム(Domain  Name  System，DNS)のような別のネットワーク要素に尋ねられる。別の具体例に関し、アクセス・ポイント名に対応するローカル・ユーザー・プレーン・ノード・アドレスは、制御プレーン機能ノードにおけるローカル設定に基づいて決定される。
【０１６０】
更に、第１ローカル・ネットワーク・アイデンティティに基づいてユーザー装置と第１ローカル・ネットワークとの間にコネクションを設定する前に、制御プレーン・ノードは、少なくとも１つのローカル・ネットワーク・アイデンティティが第１ローカル・ネットワーク・アイデンティティを含むか否かを先ず確認し、少なくとも１つのローカル・ネットワーク・アイデンティティが第１ローカル・ネットワーク・アイデンティティを含む場合に、第１ローカル・ネットワーク・アイデンティティに基づいてユーザー装置と第１ローカル・ネットワークとの間にコネクションを設定するステップを実行してもよい。更に、少なくとも１つのローカル・ネットワーク・アイデンティティが第１ローカル・ネットワーク・アイデンティティを含まない場合、制御プレーン・ノードは、第１ローカル・ネットワーク・アイデンティティに基づいてユーザー装置と第１ローカル・ネットワークとの間にコネクションを設定するステップを実行しない。
【０１６１】
具体的に言えば、ユーザー装置により送信された第１ローカル・ネットワーク・アイデンティティを受信した後に、制御プレーン・ノードは、第１ローカル・ネットワーク・アイデンティティが、制御プレーン・ノードによりユーザー装置へ送信された少なくとも１つのローカル・ネットワーク・アイデンティティに属するか否かを検査するために、第１ローカル・ネットワーク・アイデンティティを先ず検査してもよい。第１ローカル・ネットワーク・アイデンティティが少なくとも１つのローカル・ネットワーク・アイデンティティに属する場合に、ユーザー装置と第１ローカル・ネットワークとの間のコネクションが設定される。第１ローカル・ネットワーク・アイデンティティが少なくとも１つのローカル・ネットワーク・アイデンティティに属しない場合、ユーザー装置と第１ローカル・ネットワークとの間のコネクションは設定されない。検査により、コネクションの的確性が改善され、接続される第１ローカル・ネットワークは、ロケーション・エリア内にないかもしれないローカル・ネットワークであったり、あるいはアクセスするのを許可していないローカル・ネットワークであったりすることを免れる。
【０１６２】
更に、ユーザー装置と第１ローカル・ネットワークとの間にコネクションを設定した後に、制御プレーン・ノードは更にコネクション設定レスポンスによりユーザー装置に答えてもよい。
【０１６３】
更に、ユーザー装置のロケーション・エリアが変わるユーザー装置に関し、ユーザー装置が、ロケーション・エリアが変わる前に、指定されたユーザー・プレーン・ノードを利用することによりネットワーク・コネクションを設定する場合、第１ローカル・ネットワークに対するコネクションが首尾よく設定された後、指定されたユーザー・プレーン・ノードを利用することによりユーザー装置により設定されたネットワーク・コネクションは以後解放されてよい。
【０１６４】
コネクションを解放するステップは、ユーザー装置によりトリガーされてもよいし、あるいは制御プレーン・ノードによりトリガーされてもよく、これは本発明のこの実施形態で限定されない。例えば、第１ローカル・ネットワークに対するコネクションが首尾よく設定された後、ユーザー装置は、指定されたユーザー・プレーン・ノードを利用することにより設定されたネットワーク・コネクションを削除するように制御プレーン・ノードに要求するために、コネクション削除リクエストを制御プレーン・ノードへ送信してもよく；あるいはコネクション設定レスポンスをユーザー装置へ送信した後に、制御プレーン・ノードは、以前に設定したネットワーク・コネクションを削除することを、指定されたユーザー・プレーン・ノード及びユーザー装置に指示する。
【０１６５】
本発明のこの実施形態において、ユーザー装置が、ロケーション・エリアに入り、アクセス・リクエストをアクセス・ノードへ送信した場合、アクセス・ノードは、ユーザー装置が現在位置するロケーション・エリアを示すロケーション・エリア・アイデンティティを、制御プレーン・ノードへ送信してよい。制御プレーン・ノードは、ロケーション・エリア・アイデンティティに基づいて少なくとも１つのローカル・ネットワーク・アイデンティティを決定し、ユーザー装置による選択のために、少なくとも１つのローカル・ネットワーク・アイデンティティをユーザー装置へ送信してよい。従って、ユーザーは、アクセスされることを要するローカル・ネットワークを、ユーザー装置を利用することにより自発的に選択し、具体的に言えば、ユーザーがアクセスすることを希望するローカル・ネットワーク、又は相対的に高い品質を有するローカル・ネットワークを自発的に選択し、それによりローカル・ネットワークの効果及びフレキシビリティが改善され、ローカル・ネットワーク・コネクション・モードが拡張される。更に、モバイル通信ネットワーク・オペレータは、各々のローカル・ネットワークに対して固有のロケーション・エリア・アイデンティティを予定すること、あるいは専用の制御プレーン・ノードを配備することを必要とせず、複数のローカル・ネットワークが同じロケーション・エリアにあるように予定されてもよく、制御プレーン・ノードは複数の隣接するロケーション・エリアに同時に応対してもよく、それにより配備コストが削減される。
【０１６６】
本発明の技術的解決手段をより明確にするために、以下、一例として次世代モバイル通信ネットワークを利用することにより本発明の技術的解決手段を更に詳細に説明する。
【０１６７】
モバイル通信ネットワークが次世代モバイル通信ネットワークである場合、上記の制御プレーン・ノードは制御プレーン機能ネットワーク要素であり、上記のユーザー・プレーン・ノードはユーザー・プレーン機能ネットワーク要素であり、上記のデータ管理ネットワーク要素は加入データ・センターであってもよいことは、上記の実装環境の説明から学ぶことができる。
【０１６８】
図３Ａ、図３Ｂ、図３Ｃ、及び図３Ｄは本発明の実施形態によるローカル・ネットワーク・コネクション方法のフローチャートである。本方法の相互作用の主体は、ユーザー装置、アクセス・ノード、制御プレーン機能ネットワーク要素、ユーザー・プレーン機能ネットワーク要素、及び加入データ・センターである。企業キャンパスに入る前に、指定されたユーザー・プレーン機能ネットワーク要素を利用することにより、ユーザー装置がパブリック・ネットワークに対するコネクションを設定し、ユーザー装置が企業キャンパスに入った後に、ローカル・エリアが変わる場合、図３Ａ、図３Ｂ、図３Ｃ、及び図３Ｄを参照すると、次世代モバイル通信ネットワークを利用することによりユーザー装置がロケーション・エリア内のローカル・ネットワークに接続される特定のプロセスは、以下のステップを含んでよい。
【０１６９】
ステップ３０１：企業キャンパスに入った後、ユーザー装置はロケーション・エリア・アップデート・リクエストをアクセス・ノードへ送信する。
【０１７０】
ステップ３０２：アクセス・ノードは、ロケーション・エリア・アップデート・リクエストを受信し、ユーザー装置が現在位置するロケーション・エリアを決定し、ロケーション・エリア・アイデンティティを制御プレーン機能ネットワーク要素へ送信する。
【０１７１】
ステップ３０３：制御プレーン機能ネットワーク要素は、ユーザー装置のセキュリティを確認するためにユーザー装置に関して認証を実行する。
【０１７２】
ステップ３０４：制御プレーン機能ネットワーク要素は、コネクションをアップデートするように、指定されたユーザー・プレーン機能ネットワーク要素に指示する。
【０１７３】
ステップ３０５：ユーザー装置が企業キャンパスへ入った後に、制御プレーン機能ネットワーク要素が変わる場合、制御プレーン機能ネットワーク要素は、ユーザー装置の加入データを取得することを要求するために加入データ・リクエストを加入データ・センターへ送信する。
【０１７４】
ステップ３０６：制御プレーン機能ネットワーク要素は、ロケーション・エリア・アイデンティティに基づいて少なくとも１つのネットワーク・アイデンティティを決定する。
【０１７５】
ステップ３０７：制御プレーン機能ネットワーク要素は、ロケーション・アップデート容認メッセージをユーザー装置へ送信し、ロケーション・アップデート容認メッセージは少なくとも１つのローカル・ネットワーク・アイデンティティを運ぶ。
【０１７６】
ステップ３０８：ユーザー装置は、少なくとも１つのローカル・ネットワーク・アイデンティティに基づいて第１ローカル・ネットワーク・アイデンティティを選択し、コネクション設定リクエストを制御プレーン機能ネットワーク要素へ送信し、コネクション設定リクエストは第１ローカル・ネットワーク・アイデンティティを運ぶ。
【０１７７】
ステップ３０９：制御プレーン・ノードは、ユーザー装置により送信されたコネクション設定リクエストを受信し、ローカル・ユーザー・プレーン機能ネットワーク要素を利用することにより、第１ローカル・ネットワーク・アイデンティティに基づいてユーザー装置と第１ローカル・ネットワークとの間にコネクションを設定する。
【０１７８】
ステップ３１０：制御プレーン・ノードはコネクション設定レスポンスをユーザー装置へ送信する。
【０１７９】
ステップ３１１：ユーザー装置は、指定されたユーザー・プレーン機能ネットワーク要素を利用することにより設定されたパブリック・ネットワークに対するコネクションを削除することを要求するために、コネクション削除リクエストを制御プレーン・ノードへ送信する。
【０１８０】
ステップ３１２：制御プレーン・ノードは、コネクション削除リクエストを受信し、指定されたユーザー・プレーン機能ネットワーク要素を利用することにより設定されたユーザー装置とパブリック・ネットワークとの間のコネクションを削除する。
【０１８１】
ステップ３１３：制御プレーン・ノードはコネクション削除レスポンスをユーザー装置へ送信する。
【０１８２】
更に、次世代モバイル通信ネットワークにおける制御プレーン機能ネットワーク要素が、セッション管理ファンクション及びモビリティ管理ファンクションのように独立したネットワーク管理ファンクションに更に分割される場合、制御プレーン機能ネットワーク要素の機能は、セッション管理ファンクション及びモビリティ管理ファンクションの協調により達成されてもよく、これは具体的には次のようになる：
【０１８３】
ステップ３０２：アクセス・ノードが、ロケーション・エリア・アップデート・リクエストを受信し、ユーザー装置が現在位置するロケーション・エリアを決定し、ロケーション・エリア・アイデンティティをモビリティ管理ファンクションへ送信し、モビリティ管理ファンクションがロケーション・エリア・アイデンティティをセッション管理ファンクションに通知する。
【０１８４】
ステップ３０４：セッション管理ファンクションは、コネクションをアップデートするように、指定されたユーザー・プレーン機能ネットワーク要素に指示する。
【０１８５】
ステップ３０５：ユーザー装置が企業キャンパスに入った後に、モビリティ管理ファンクションが変わる場合、モビリティ管理ファンクションは、ユーザー装置の加入データを取得することを要求するために、加入データ・リクエストを加入データ・センターへ送信する。
【０１８６】
ステップ３０６：セッション管理ファンクションは、ロケーション・エリア・アイデンティティに基づいて少なくとも１つのローカル・ネットワーク・アイデンティティを決定する。
【０１８７】
ステップ３０７：セッション管理ファンクションは、少なくとも１つのローカル・ネットワーク・アイデンティティをユーザー装置に通知し、モビリティ管理ファンクションを利用することにより、ロケーション・アップデート容認メッセージをユーザー装置へ送信してもよく、ロケーション・アップデート容認メッセージは少なくとも１つのローカル・ネットワーク・アイデンティティを運ぶ。
【０１８８】
ステップ３０８：ユーザー装置は、少なくとも１つのローカル・ネットワーク・アイデンティティに基づいて第１ローカル・ネットワーク・アイデンティティを選択し、コネクション設定リクエストをセッション管理ファンクションへ送信し、コネクション設定リクエストは第１ローカル・ネットワーク・アイデンティティを運び、コネクション設定リクエストはモビリティ管理ファンクションによりセッション管理ファンクションへ転送される。
【０１８９】
ステップ３０９：セッション管理ファンクションは、ユーザー装置により送信されたコネクション設定リクエストを受信し、ローカル・ユーザー・プレーン機能ネットワーク要素を利用することにより、第１ローカル・ネットワーク・アイデンティティに基づいてユーザー装置と第１ローカル・ネットワークとの間にコネクションを設定する。
【０１９０】
ステップ３１０：セッション管理ファンクションはコネクション設定レスポンスをユーザー装置へ送信する。
【０１９１】
ステップ３１１：ユーザー装置は、指定されたユーザー・プレーン機能ネットワーク要素を利用することにより設定されたパブリック・ネットワークに対するコネクションを削除することを要求するために、コネクション削除リクエストをセッション管理ファンクションへ送信する。
【０１９２】
ステップ３１２：セッション管理ファンクションは、コネクション削除リクエストを受信し、指定されたユーザー・プレーン機能ネットワーク要素を利用することにより設定されたユーザー装置とパブリック・ネットワークとの間のコネクションを削除する。
【０１９３】
ステップ３１３：セッション管理ファンクションはコネクション削除レスポンスをユーザー装置へ送信する。
【０１９４】
本発明のこの実施形態において、ユーザー装置が次世代モバイル通信ネットワークのローカル・ネットワークに接続される上記のプロセスは、説明のための一例としてしか使用されていないことに留意すべきである。実際のアプリケーションでは、図２の方法の実施形態を参照して別の実装が使用されてもよい。具体的な実装プロセスについては、図２の方法の実施形態を参照されたい。詳細はここでは述べない。更に、ＥＰＳネットワーク、ｅＬＴＥネットワーク、及び２Ｇ／３Ｇネットワークの特定の実装プロセスについては、図２の方法の実施形態を参照されたい。詳細はここでは述べない。
【０１９５】
図４Ａは本発明の実施形態によるローカル・ネットワーク・コネクション装置のブロック図である。装置は、図２の実施形態で説明される制御プレーン・ノード、あるいは図３Ａ、図３Ｂ、図３Ｃ、及び図３Ｄの実施形態で説明される制御プレーン機能ネットワーク要素であってもよい。図４Ａを参照すると、装置は、第１受信モジュール４０１と、決定モジュール４０２と、第２受信モジュール４０３と、コネクション設定モジュール４０４とを含む。
【０１９６】
第１受信モジュール４０１及び決定モジュール４０２は、上記の実施形態におけるステップ２０３を実行するように構成され、第２受信モジュール４０３及びコネクション設定モジュール４０４は上記の実施形態におけるステップ２０５を実行するように構成される。
【０１９７】
選択的に、図４Ｂを参照すると、装置は、決定モジュール４０２により決定される少なくとも１つのローカル・ネットワーク・アイデンティティが、第２受信モジュール４０３により受信される第１ローカル・ネットワーク・アイデンティティを有するか否かを決定するように構成される判断モジュール４０５を更に含む。
【０１９８】
関係設定モジュール４０４は、決定モジュール４０２により決定される少なくとも１つのローカル・ネットワーク・アイデンティティが、第２受信モジュール４０３により受信される第１ローカル・ネットワーク・アイデンティティを含む場合に、第１ローカル・ネットワーク・アイデンティティに基づいてユーザー装置と第１ローカル・ネットワークとの間にコネクションを設定するように更に構成される。
【０１９９】
本発明のこの実施形態において、ユーザー装置がロケーション・エリアに入ると、ローカル・ネットワーク・コネクション装置は、ロケーション・エリアにおける少なくとも１つのローカル・ネットワーク・アイデンティティをユーザー装置へ送信してよい。従って、ユーザーは、アクセスされることを要するローカル・ネットワークを、ユーザー装置を利用することにより自発的に選択してもよく、具体的に言えば、ユーザーがアクセスを希望するローカル・ネットワーク、又は相対的に高い品質を有するローカル・ネットワークを自発的に選択してもよく、それにより、ローカル・ネットワーク・コネクションの効果及びフレキシビリティが改善され、ローカル・ネットワーク・コネクション・モードが拡張される。更に、モバイル通信ネットワーク・オペレータは、各々のローカル・ネットワークに対して固有のロケーション・エリア・アイデンティティを予定すること、あるいは専用の制御プレーン・ノードを配備することを必要とせず、複数のローカル・ネットワークが同じロケーション・エリアにあるように予定されてもよく、制御プレーン・ノードは複数の隣接するロケーション・エリアに同時に応対してもよく、それにより配備コストが削減される。
【０２００】
第１受信モジュール４０１及び第２受信モジュール４０３は受信機であってもよく、第１受信モジュール４０１及び第２受信モジュール４０３はハードウェアに相当するトランシーバとして実装される１つのトランシーバ・モジュールに統合されてもよい。決定モジュール４０２、コネクション設定モジュール４０４、判断モジュール４０５等は、ハードウェア形式で、ローカル・ネットワーク・コネクション装置のプロセッサに内蔵される又はそこから独立していてもよく、あるいはソフトウェアの形式でローカル・ネットワーク・コネクション装置のメモリに保存されてもよく、それによりプロセッサは上記のモジュールに対応するオペレーションを起動及び実行する。プロセッサは、中央処理ユニット（ＣＰＵ）、マイクロプロセッサ、シングル・チップ・マイクロコンピュータ等であってもよい。
【０２０１】
上記の実施形態で提供されるローカル・ネットワーク・コネクション装置がローカル・コネクション方法を実現する場合、上記の機能モジュールの分け方は説明の一例としてしか使用されていないことに留意すべきである。実際のアプリケーションでは、条件に基づく実現のために様々な機能モジュールに機能が割り当てられてよい。具体的に言えば、デバイスの内部構造は、上記の全部又は一部の機能を達成するように様々な機能モジュールに分割される。更に、上記の実施形態で提供されるローカル・ネットワーク・コネクション装置は、ローカル・ネットワーク・コネクション方法の実施形態と同じ概念に関連する。ローカル・ネットワーク・コネクション装置の具体的な実装プロセスについては、方法の実施形態を参照されたい。詳細はここでは述べない。
【０２０２】
本発明の上記の実施形態の連続する番号は、専ら説明を目的としており、実施形態の優位性を示すようには意図されていない。
【０２０３】
実施形態のステップの全部又は一部がハードウェア又は関連するハードウェアを指示するプログラムにより実現されてよいことを、当業者は理解するであろう。プログラムはコンピュータ読み取り可能なストレージ媒体に保存されてよい。ストレージ媒体は：リード・オンリ・メモリ、磁気ディスク、又は光ディスクを含んでよい。
【０２０４】
上記の説明は、本発明の例示的な実施形態でしかなく、本発明を限定するようには意図されていない。本発明の精神及び原理から逸脱することなく行われる任意の修正、均等な置換、及び改良は、本発明の保護範囲内に属するものである。
【図１Ａ】
2020205620.tif 000003
【図１Ｂ】
2020205620.tif 000004
【図１Ｃ】
2020205620.tif 000005
【図１Ｄ】
2020205620.tif 000006
【図１Ｅ】
2020205620.tif 000007
【図１Ｆ】
2020205620.tif 000008
【図１Ｇ】
2020205620.tif 000009
【図２】
2020205620.tif 000010
【図３Ａ】
2020205620.tif 000011
【図３Ｂ】
2020205620.tif 000012
【図３Ｃ】
2020205620.tif 000013
【図３Ｄ】
2020205620.tif 000014
【図４Ａ】
2020205620.tif 000015
【図４Ｂ】
2020205620.tif 000016
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
モバイル通信ネットワークの制御プレーン・ノードに適用されるローカル・ネットワーク・コネクション方法であって、当該方法は：
アクセス・ノードからロケーション・エリア・アイデンティティを受信するステップであって、前記ロケーション・エリア・アイデンティティは、ユーザー装置が現在位置するロケーション・エリアを示すために使用される、ステップ；
前記ロケーション・エリア・アイデンティティに基づいて少なくとも１つのローカル・ネットワーク・アイデンティティを決定し、前記少なくとも１つのローカル・ネットワーク・アイデンティティを前記ユーザー装置へ送信するステップ；
前記ユーザー装置からコネクション設定リクエストを受信するステップであって、前記コネクション設定リクエストは、第１ローカル・ネットワーク・アイデンティティを運び、前記第１ローカル・ネットワーク・アイデンティティは、前記少なくとも１つのローカル・ネットワーク・アイデンティティ内にある、ステップ；及び
前記第１ローカル・ネットワーク・アイデンティティに基づいて前記ユーザー装置と第１ローカル・ネットワークとの間にコネクションを設定するステップ；
を有する方法。
【請求項２】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップであって、前記ロケーション・エリア・アイデンティティ・リストは、複数のロケーション・エリア・アイデンティティと、対応するローカル・ネットワーク・アイデンティティとを保存する、ステップ；及び
前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項３】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップ；
前記ユーザー装置からの前記アクセス・リクエストを前記アクセス・ノードを利用することにより受信するステップであって、前記アクセス・リクエストはローカル・ネットワーク・アクセス指示情報を運び、前記ローカル・ネットワーク・アクセス指示情報は、前記ユーザー装置がローカル・ネットワークへアクセスするのを許可されているか否かを示すために使用される、ステップ；及び
前記ローカル・ネットワーク・アクセス指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項４】
前記ロケーション・エリア・アイデンティティに基づいて少なくとも１つのローカル・ネットワーク・アイデンティティを決定する前記ステップが：
保存されたロケーション・エリア・アイデンティティ・リストから、前記ロケーション・エリア・アイデンティティに対応するローカル・ネットワーク・アイデンティティを取得するステップ；
前記ユーザー装置のローカル・ネットワーク加入情報を取得するステップであって、前記ローカル・ネットワーク加入情報はローカル・ネットワーク・アイデンティティ情報を有し、前記ローカル・ネットワーク・アイデンティティ情報は、前記ユーザー装置がアクセスするのを許可するローカル・ネットワークのアイデンティティである、ステップ；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定するステップ；
を有する、請求項１に記載の方法。
【請求項５】
前記ロケーション・エリア・アイデンティティに基づいて少なくとも１つのローカル・ネットワーク・アイデンティティを決定する前記ステップが：
前記ユーザー装置のローカル・ネットワーク加入情報を取得するステップであって、前記ローカル・ネットワーク加入情報は前記ユーザー装置の加入済みのローカル・ネットワークを示す、ステップ；及び
前記ロケーション・エリア・アイデンティティ及び前記ローカル・ネットワーク加入情報に基づいて少なくとも１つのローカル・ネットワーク・アイデンティティを決定するステップ；
を有する、請求項１に記載の方法。
【請求項６】
前記ロケーション・エリア・アイデンティティに基づいて少なくとも１つのローカル・ネットワーク・アイデンティティを決定する前記ステップが：
保存されたロケーション・エリア・リストから、前記ロケーション・エリア・アイデンティティに対応するローカル・ネットワーク・アイデンティティを取得するステップ；
オペレータ・ポリシーを取得するステップであって、前記オペレータ・ポリシーはローカル・ネットワーク・アイデンティティ情報を有し、前記ローカル・ネットワーク・アイデンティティ情報は、前記ユーザー装置がアクセスするのを許可するローカル・ネットワークのアイデンティティである、ステップ；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定するステップ；
を有する、請求項１に記載の方法。
【請求項７】
前記ロケーション・エリア・アイデンティティに基づいて少なくとも１つのローカル・ネットワーク・アイデンティティを決定する前記ステップが：
保存されたロケーション・エリア・リストから、前記ロケーション・エリア・アイデンティティに対応するローカル・ネットワーク・アイデンティティを取得するステップ；
オペレータ・ポリシーを取得するステップであって、前記オペレータ・ポリシーはネットワーク・ケーパビリティ指示情報を有し、前記ネットワーク・ケーパビリティ指示情報は、前記ユーザー装置がローカル・ネットワークへアクセスするのを許可されているか否かを示すために使用される、ステップ；及び
前記ネットワーク・ケーパビリティ指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定するステップ；
を有する、請求項１に記載の方法。
【請求項８】
前記ローカル・ネットワーク・アイデンティティは、ローカル・ネットワークに対応するアクセス・ポイント名、前記ローカル・ネットワークのネットワーク名、又は前記ローカル・ネットワークの企業名である、請求項１ないし７のうちの何れか一項に記載の方法。
【請求項９】
ローカル・ネットワーク・コネクション装置であって、当該装置は：
アクセス・ノードからロケーション・エリア・アイデンティティを受信するように構成される第１受信モジュールであって、前記ロケーション・エリア・アイデンティティは、ユーザー装置が現在位置するロケーション・エリアを示すために使用される、第１受信モジュール；
前記ロケーション・エリア・アイデンティティに基づいて少なくとも１つのローカル・ネットワーク・アイデンティティを決定し、前記少なくとも１つのローカル・ネットワーク・アイデンティティを前記ユーザー装置へ送信するように構成される決定モジュール；
前記ユーザー装置からコネクション設定リクエストを受信するように構成される第２受信モジュールであって、前記コネクション設定リクエストは、第１ローカル・ネットワーク・アイデンティティを運び、前記第１ローカル・ネットワーク・アイデンティティは、前記少なくとも１つのローカル・ネットワーク・アイデンティティ内にある、第２受信モジュール；及び
前記第１ローカル・ネットワーク・アイデンティティに基づいて前記ユーザー装置と第１ローカル・ネットワークとの間にコネクションを設定するように構成されるコネクション設定モジュール；
を有する装置。
【請求項１０】
前記決定モジュールは：
保存されたロケーション・エリア・アイデンティティ・リストから、前記ロケーション・エリア・アイデンティティに対応するローカル・ネットワーク・アイデンティティを取得することであって、前記ロケーション・エリア・アイデンティティ・リストは、複数のロケーション・エリア・アイデンティティと、対応するローカル・ネットワーク・アイデンティティとを保存する、こと；及び
前記ロケーション・エリア・アイデンティティに対応する前記ローカル・ネットワーク・アイデンティティを、前記少なくとも１つのローカル・ネットワーク・アイデンティティとして決定すること；
を行うように構成される、請求項９に記載の装置。
【請求項１１】
前記決定モジュールは：
保存されたロケーション・エリア・アイデンティティ・リストから、前記ロケーション・エリア・アイデンティティに対応するローカル・ネットワーク・アイデンティティを取得すること；
前記ユーザー装置からの前記アクセス・リクエストを前記アクセス・ノードを利用することにより受信することであって、前記アクセス・リクエストはローカル・ネットワーク・アクセス指示情報を運び、前記ローカル・ネットワーク・アクセス指示情報は、前記ユーザー装置がローカル・ネットワークへアクセスするのを許可されているか否かを示すために使用される、こと；及び
前記ローカル・ネットワーク・アクセス指示情報が、前記ユーザー装置は前記ローカル・ネットワークへアクセスするのを許可されていることを示す場合に、前記ロケーション・エリア・アイデンティティに対応する前記ローカル・ネットワーク・アイデンティティを、前記少なくとも１つのローカル・ネットワーク・アイデンティティとして決定すること；
を行うように構成される、請求項９に記載の装置。
【請求項１２】
前記決定モジュールは：
保存されたロケーション・エリア・アイデンティティ・リストから、前記ロケーション・エリア・アイデンティティに対応するローカル・ネットワーク・アイデンティティを取得すること；
前記ユーザー装置のローカル・ネットワーク加入情報を取得することであって、前記ローカル・ネットワーク加入情報はローカル・ネットワーク・アイデンティティ情報を有し、前記ローカル・ネットワーク・アイデンティティ情報は、前記ユーザー装置がアクセスするのを許可するローカル・ネットワークのアイデンティティである、こと；及び
前記ロケーション・エリア・アイデンティティに対応する前記ローカル・ネットワーク・アイデンティティと前記ローカル・ネットワーク・アイデンティティ情報とに基づいて前記少なくとも１つのローカル・ネットワーク・アイデンティティを決定すること；
を行うように構成される、請求項９に記載の装置。
【請求項１３】
前記決定モジュールは：
前記ユーザー装置のローカル・ネットワーク加入情報を取得することであって、前記ローカル・ネットワーク加入情報は前記ユーザー装置の加入済みのローカル・ネットワークを示す、こと；及び
前記ロケーション・エリア・アイデンティティ及び前記ローカル・ネットワーク加入情報に基づいて少なくとも１つのローカル・ネットワーク・アイデンティティを決定すること；
を行うように構成される、請求項９に記載の装置。
【請求項１４】
前記アクセス・リクエストはロケーション・エリア・アップデート・リクエスト又はアタッチ・リクエストを有し、前記ロケーション・エリア・アップデート・リクエストは、前記ユーザー装置が位置する前記ロケーション・エリアが変わった場合に前記ユーザー装置により送信され、前記アタッチ・リクエストは前記ユーザー装置がイネーブルにされた場合に前記ユーザー装置により送信される、請求項９ないし１３のうちの何れか一項に記載の装置。
【請求項１５】
ローカル・ネットワーク・コネクション・システムであって、当該システムは、アクセス・ノードと、制御プレーン・ノードとを有し、
前記アクセス・ノードは：ユーザー装置からの前記アクセス・リクエストを受信した場合に、ロケーション・エリア・アイデンティティを前記制御プレーン・ノードへ送信するように構成され、前記ロケーション・エリア・アイデンティティは、前記ユーザー装置が現在位置するロケーション・エリアを示すために使用され；
前記制御プレーン・ノードは、請求項１ないし８のうちの何れか一項に記載の方法を実行するように構成される、システム。
【請求項１６】
請求項１ないし８のうちの何れか一項に記載の方法を実行するために保存されたコンピュータ・プログラムによりエンコードされた非一時的なコンピュータ読み取り可能なストレージ媒体。
【請求項１７】
請求項１ないし８のうちの何れか一項に記載の方法を装置のコンピュータに実行させるコンピュータ・プログラム。
【請求項１８】
ローカル・ネットワーク・コネクション方法であって、当該方法は：
ロケーション・エリア内のユーザー装置により、アクセス・リクエストを送信するステップ；
前記ユーザー装置により、制御プレーン・ノードから、前記ロケーション・エリアに対応する少なくとも１つのローカル・ネットワーク・アイデンティティを受信するステップであって、前記少なくとも１つのローカル・ネットワーク・アイデンティティは、前記ユーザー装置の１つ以上のローカル・ネットワークを示す、ステップ；及び
前記ユーザー装置により、コネクション設定リクエストを前記制御プレーン・ノードへ送信するステップであって、前記コネクション設定リクエストは、前記少なくとも１つのローカル・ネットワーク・アイデンティティ内の第１ローカル・ネットワーク・アイデンティティを含む、ステップ；
を有する方法。
【請求項１９】
前記１つ以上のローカル・ネットワークは、前記ユーザー装置の加入済みのローカル・ネットワークである、請求項１８に記載の方法。
【請求項２０】
前記アクセス・リクエストは、ローカル・ネットワーク・アクセス指示情報を含み、前記アクセス指示情報は、ローカル・ネットワークへアクセスする意向を示す、請求項１８に記載の方法。
【請求項２１】
前記ローカル・ネットワーク・アイデンティティは、ローカル・ネットワークに対応するアクセス・ポイント名、前記ローカル・ネットワークのネットワーク名に対応するアクセス・ポイント名、又は前記ローカル・ネットワークの企業名に対応するアクセス・ポイント名である、請求項１８に記載の方法。
【請求項２２】
ユーザー装置であって、当該装置は：
少なくとも１つのプロセッサ、及び
前記少なくとも１つのプロセッサによる実行のためのプログラミングを保存するコンピュータ読み取り可能なストレージ媒体、
を有し、前記プログラミングは、
アクセス・リクエストを送信すること；
制御プレーン・ノードから、前記ユーザー装置が位置するロケーション・エリアに対応する少なくとも１つのローカル・ネットワーク・アイデンティティを受信することであって、前記少なくとも１つのローカル・ネットワーク・アイデンティティは、前記ユーザー装置の１つ以上のローカル・ネットワークを示す、こと；及び
コネクション設定リクエストを前記制御プレーン・ノードへ送信することであって、前記コネクション設定リクエストは、前記少なくとも１つのローカル・ネットワーク・アイデンティティ内の第１ローカル・ネットワーク・アイデンティティを含む、こと；
を行う命令を含む、ユーザー装置。
【請求項２３】
前記１つ以上のローカル・ネットワークは、前記ユーザー装置の加入済みのローカル・ネットワークである、請求項２２に記載のユーザー装置。
【請求項２４】
前記アクセス・リクエストは、ローカル・ネットワーク・アクセス指示情報を含み、前記アクセス指示情報は、ローカル・ネットワークへアクセスする意向を示す、請求項２２に記載のユーザー装置。
【請求項２５】
前記ローカル・ネットワーク・アイデンティティは、ローカル・ネットワークに対応するアクセス・ポイント名、前記ローカル・ネットワークのネットワーク名に対応するアクセス・ポイント名、又は前記ローカル・ネットワークの企業名に対応するアクセス・ポイント名である、請求項２２に記載のユーザー装置。
【請求項２６】
請求項１８ないし２１のうちの何れか一項に記載の方法を実行するために保存されたコンピュータ・プログラムによりエンコードされた非一時的なコンピュータ読み取り可能なストレージ媒体。
【手続補正２】
【補正対象書類名】明細書
【補正対象項目名】００２２
【補正方法】変更
【補正の内容】
【００２２】
別の実施形態において、アクセス・リクエストはロケーション・エリア・アップデート・リクエスト又はアタッチ・リクエストを含み、ロケーション・エリア・アップデート・リクエストは、ユーザー装置が位置するロケーション・エリアが変わった場合にユーザー装置により送信され、アタッチ・リクエストはユーザー装置がイネーブルにされた場合にユーザー装置により送信される。
【手続補正３】
【補正対象書類名】明細書
【補正対象項目名】０１３４
【補正方法】変更
【補正の内容】
【０１３４】
ステップ２０３は、以下のステップ２０３１ないし２０３６を更に含んでよいことに更に留意すべきである。
【外国語明細書】
2020205620000001.pdf